(57)【要約】  本開示は、悪臭中和の分野に関する。より詳述すれば、本開示は、糞便の悪臭の知覚を制限、低減又は排除するための揮発性組成物の使用に関する。かかる組成物は、悪臭中和剤として機能する付香成分に関連する悪臭アンタゴニスト系を、糞便の悪臭の知覚を著しく低減させる組み合わせで含む。かかる組成物、送達系と組み合わせたそれらの使用、及び消費者製品におけるそれらの適用が、本開示の目的である。【特許請求の範囲】
【請求項１】
糞便の悪臭の知覚を減少、制限、又は排除するための、
（ｉ）表１の群から選択される少なくとも１つの成分を含む悪臭受容体アンタゴニスト系約２質量％〜約８５質量％、
（ｉｉ）表１において挙げた任意の成分を除く、少なくとも２つの付香成分を含む機能的香料アコード約１５質量％〜９８質量％、ここで、前記アコードは、フローラル、シトラス及びジャスミンから選択される香調を有し、
（ｉｉｉ）任意に非機能的香料アコード
を含む組成物の使用。
【請求項２】
前記悪臭受容体アンタゴニスト系が、表１から選択された少なくとも３つの成分を含むことを特徴とする、請求項１に記載の使用。
【請求項３】
前記悪臭受容体アンタゴニスト系が、表１の群から選択された少なくとも４つの成分を含むことを特徴とする、請求項１又は２に記載の使用。
【請求項４】
前記機能的香料アコードが、表２及びそれらの混合物の群から選択された１つ又は複数の成分を含むことを特徴とする、請求項１から３までのいずれか１項に記載の使用。
【請求項５】
前記機能的香料アコードが、イオノン、イロン、ダマスコン、シトラール、メチルシンナムアルデヒド、ペラルゴジエナール、オリボン、それらの誘導体及びそれらの混合物からなる群から選択される成分を含むことを特徴とする、請求項１から３までのいずれか１項に記載の使用。
【請求項６】
前記組成物が、さらに、マイクロカプセル又は微粒子を形成するためのカプセル化材料、例えばポリマー、又は組成物のための液体送達系を形成するための材料、例えばエマルション、マイクロエマルション、ミニエマルション、ゲル、ミクロゲル、無水物ゲルもしくは分散液を含むことを特徴とする、請求項１から５までのいずれか１項に記載の使用。
【請求項７】
前記組成物が、ルースパウダー又は圧縮された形での多孔質又は多孔質ではない基材上で吸収され、ここで、基材は、セルロース（紙／厚紙）、バーミキュライト、他の工業用吸収剤、パーライト、炭酸カルシウム、軽石、木材、おがくず、粉砕したトウモロコシの穂軸、粉砕した籾殻、籾殻灰、バイオ炭、デンプン、加工デンプン及びそれらの混合物から選択されることを特徴とする、請求項１から５までのいずれか１項に記載の使用。
【請求項８】
表１の群から選択される少なくとも３つ、あるいは少なくとも４つの成分からなる悪臭受容体アンタゴニスト系。
【請求項９】
以下、
ａ）表１から選択される少なくとも１つ、あるいは少なくとも３つの成分を含む悪臭受容体アンタゴニスト系を有効量の２〜８５質量％、
ｂ）表２、それらの誘導体及びそれらの混合物から選択される少なくとも２つの成分を含む機能的香料アコードを１５〜９８質量％、
ｃ）任意に、少なくとも２つの付香成分を含む非機能的香料アコード
を含む悪臭中和組成物。
【請求項１０】
前記悪臭受容体アンタゴニスト系が、（２，５−ジメチル−２，３−ジヒドロ−１Ｈ−インデン−２−イル）メタノールを含み、かつ機能的香料アコードが、シトラール、イソラルディン及びα−イオノンを含むことを特徴とする、請求項９に記載の組成物。
【請求項１１】
（２，５−ジメチル−２，３−ジヒドロ−１Ｈ−インデン−２−イル）メタノールが、組成物の少なくとも２％で、あるいは少なくとも３％で存在することを特徴とする、請求項１０に記載の組成物。
【請求項１２】
さらに、エマルション、分散液、マイクロエマルション、ミニエマルション、ゲル、ミクロゲル、マイクロカプセル又は微粒子を形成するためにカプセル化材料又は他の材料を含むことを特徴とする、請求項９から１１までのいずれか１項に記載の悪臭中和組成物。
【請求項１３】
請求項９から１２のいずれか１項において定義した悪臭中和組成物の有効量を含む着香消費者製品。
【請求項１４】
エアケア製品、ホームケア製品及びランドリーケア製品から選択される、請求項１３に記載の付香消費者製品。
【請求項１５】
エアロゾル及び／又は水性エアフレッシュナースプレー、ウィック／リードエアフレッシュナー、液体電動（プラグイン）エアフレッシュナー、固体支持体エアフレッシュナー、ゲル状エアフレッシュナー、膜含有エアフレッシュナー、漂白剤、清浄剤、洗浄洗剤粉末、多目的液体クリーナー、特殊クリーナー及び液体洗剤の形であることを特徴とする、請求項１３又は１４に記載の付香消費者製品。
【請求項１６】
糞便の悪臭を中和するための非治療的方法であって、請求項１において定義された組成物で表面を処理すること又は請求項１において定義された組成物を少なくとも部分的に空気中に分配することを含む方法。
【発明の詳細な説明】
【技術分野】
【０００１】
関連出願の相互参照
本出願は、２０１６年１１月１８日に出願された米国仮特許出願番号第６２／４２４，０７２号（U.S. Provisional Patent Application Serial No. 62/424,072）、２０１７年４月１３日に出願された米国仮特許出願番号第６２／４８５，０６０号（U.S. Provisional Patent Application Serial No. 62/485,060）、２０１７年６月８日に出願された欧州特許出願番号第１７１７５１１４．２号（European Patent Application Serial No. 17175114.2）、及び２０１７年９月１１日に出願された米国仮特許出願番号第６２／５５６，７１４号（U.S. Provisional Patent Application Serial No. 62/556,714）に対して優先権を主張し、その全記載内容は参照をもってその全体を本明細書に組み込まれたものとする。
【０００２】
技術分野
本開示は、悪臭中和の分野に関する。より詳述すれば、本開示は、糞便の悪臭の知覚を制限、低減又は排除するための揮発性組成物の使用に関する。かかる組成物は、悪臭中和剤として機能する付香成分に関連する悪臭アンタゴニスト系を、糞便の悪臭の知覚を著しく低減させる組み合わせで含む。かかる組成物、送達系と組み合わせたそれらの使用、及び消費者製品におけるそれらの適用が、本開示の目的である。
【０００３】
背景技術
悪臭として知覚されるにおいは、多くの環境中に存在し、日常生活で体験される。この負の関係を誘発するにおい物質は、例えば、廃棄物、ゴミ箱、トイレ、キャットリター、並びに食品取扱い及び食品加工によって生じうる商業的環境及び居住環境の悪臭からなりうる。トイレ（特に糞便）、キッチン及び体臭は、まさに、日常生活における悪臭のいくつかの慣習的な環境源である。悪臭は、通常、種々のアミン、チオール、スルフィド、単鎖脂肪族及び不飽和の酸、例えば脂肪酸、及びそれらの誘導体を典型的に含みうる１種超の悪臭物質化合物の複雑な混合物である。
【０００４】
居住又は身体に関連する悪臭は、典型的に、種々の化学化合物、例えば、糞便の悪臭において見られるインドール、スカトール及びメタンチオール；尿において見られるピペリジン及びモルホリン；キッチン及び生ゴミの悪臭において見られるピリジン及びトリエチルアミン；洗濯場の悪臭において見られるゲオノール（ｇｅｏｎｏｌ）、１−オクテン−３−オール、ジメチルジスルフィド、ジメチルトリスルフィド、３−メチル−１−ブタノール；並びに腋の悪臭において見られる単鎖脂肪酸、例えば３−メチル−３−ヒドロキシヘキサン酸、３−メチルヘキサン酸又は３−２０  メチル−２−ヘキサン酸による。
【０００５】
かかる悪臭は、人間を不快にさせ、従って、悪臭の知覚を減少又は抑制するための悪臭中和技術（ＭＯＣ）について一定の要求がある。しかしながら、そのタスクは、一般的に非常に困難であり、それというのも、悪臭の原因である化学物質が、極めて強力なにおいを誘発し、かつそれらを隠すために典型的に使用されるにおい物質よりも非常に低い検出閾値を有しうるためである。したがって、１つは、過剰量のＭＯＣ組成物／化合物を使用して許容できる悪臭中和作用を達成しなければならない。
【０００６】
化合物の種類は、ある悪臭の知覚を減少させるために有用であると特定及び報告されている。例えば、米国特許番号第２０１００１１１８８９号（ＵＳ２０１００１１１８８９）は、アルデヒド、エステル、イオノン、及び大環状ムスクを含む使い捨て物品、例えば使い捨て掃除用ワイプ、乳児用ワイプ又はスキンケアワイプにおいて使用するために適した悪臭制御システムを記載している。酸及び非環式ケトンを含有する悪臭中和組成物は、米国特許番号第９７７４１８０号（ＵＳ９７７４１８０）においても開示されている。他の刊行物は、イオノン、イロン及びダマスコンを含む組成物の使用を同様の記載内容で記載している。これらの種類の化合物は、パーソナルケア組成物におけるにおいマスキング基剤の一部として（米国特許番号第２９１９４４０号（ＵＳ２９１９４４０））又は空気を清浄するための方法の一部として（米国特許番号第２００４０２２３８７１号（ＵＳ２００４０２２３８７１））も記載されている。
【０００７】
悪臭の知覚の減少において低濃度で有効である組成物を見出すことが依然として必要である。特に、パブリックアクセプタンス及びトイレの使用を促進し、かつ開放的な排便を妨げるために、トイレで発生する悪臭、特に糞便の悪臭の知覚を制限、減少又は排除するであろう効率的な製品を提供する必要がある。本開示は、悪臭標的の特定の受容体を遮断する化合物からなる悪臭アンタゴニスト系を添加することによって、それらの悪臭中和のために公知の成分の種類の効果を著しく向上させることによって前記問題に対する解決策を提供する。
【０００８】
要約
本開示は、いくつかの悪臭中和の性質を有するにおい成分から製造される機能的香料アコードと一緒に、国際公開番号第２０１４２１０５８５号（ＷＯ２０１４２１０５８５）において開示されているものを含む糞便の悪臭の特定の受容体を遮断することが見出された成分から形成される悪臭アンタゴニスト系を含む組成物の使用に関する。本開示の組み合わせは、糞便の悪臭の知覚の制限又は排除に関して予想外の結果を提供することが見出された。
【０００９】
第一の目的において、したがって、本開示は、糞便の悪臭の知覚を減少、制限、又は排除するための、
（ｉ）表１の群から選択される少なくとも１つの成分を含む悪臭受容体アンタゴニスト系を約２質量％〜約８５質量％、
（ｉｉ）少なくとも２つの付香成分を含み、フローラル、シトラス及びジャスミンから選択される香調を有する機能的香料アコードを約１５質量％〜９８質量％、但し表１において挙げた任意の成分を除く、
（ｉｉｉ）任意に非機能的香料アコード
を含む組成物の使用に関する。
【００１０】
表１の群から選択される少なくとも２つの成分からなる悪臭受容体アンタゴニスト系も本開示の目的でもある。
【００１１】
本開示の他の目的は、
ａ）少なくとも１つ、あるいは少なくとも３つの表１から選択される成分を含む悪臭受容体アンタゴニスト系を有効量の約２〜約８５質量％、
ｂ）イオノン、イロン、ダマスコン、シトラール、メチルシンナムアルデヒド、ペラルゴジエナール、オリバン、並びにそれらの誘導体及び混合物からなる群から選択される少なくとも２つの成分を含む機能的香料アコードを約１５〜約９８質量％、並びに
ｃ）任意に、少なくとも２つの付香成分を含む非機能的香料アコード
を含む悪臭中和組成物である。
【００１２】
前記で定義した悪臭中和組成物の有効量を含む着香消費者製品は、本開示の他の目的である。
【００１３】
糞便の悪臭を中和するための非治療的方法であって、前記で定義された組成物で表面を処理すること又は前記で定義された組成物を少なくとも部分的に空気中に分配することを含む方法も、本開示の一部でもある。
【図面の簡単な説明】
【００１４】
【図１ａ】図１ａは、インドールの悪臭標的に対する生ニューロンアッセイアンタゴニストスクリーニングの結果を示す。
【図１ｂ】図１ｂは、ジメチルトリスルフィド（ＤＭＴＳとも言う）の悪臭標的に対する生ニューロンアッセイアンタゴニストスクリーニングの結果を示す。
【図１ｃ】図１ｃは、ｐ−クレゾールの悪臭標的に対する生ニューロンアッセイアンタゴニストスクリーニングの結果を示す。
【図１ｄ】図１ｄは、酪酸の悪臭標的に対する生ニューロンアッセイアンタゴニストスクリーニングの結果を示す。
【図２】図２は、（２，５−ジメチル−２，３−ジヒドロ−１Ｈ−インデン−２−イル）メタノール（ＬＩＬＹＦＬＯＲＥ（登録商標）とも言う）からなる悪臭アンタゴニスト系を、α−イオノン（バイオレットＡＴとも言う）及びｉｓｏｒａｌｄｅｉｎｅ（イソラルディン）（イソメチル−アルファ−イオノン及びアルファ−メチルイオノンからなる）からなる機能的香料アコードと組み合わせる場合に残っている糞便評点の結果を報告する。
【図３】図３は、糞便の悪臭再構成物に対する３つの単一化合物の性能及びそれらの混合物（フローラルアコード）の性能を示す。
【図４】図４は、糞便再構成物のみ（全試験にわたって単一濃度で）について及び異なる組成物の組み合わせについての糞便、新鮮度及び心地よさの特性の評点を表すグラフを示す。図４ａ（ｉ）（ｉｉ）（ｉｉｉ）：糞便再構成物に対して３．４μｇ／ｌ（Ｃ１）（空気）で試験した組成物、（ｉ）フローラル、（ｉｉ）シトラス、（ｉｉｉ）ジャスミン；図４ｂ：糞便再構成物に対して１．１μｇ／ｌ（Ｃ２）（空気）で試験した組成物；図４ｃ：糞便再構成物に対して０．３３μｇ／ｌ（Ｃ３）（空気）で試験した組成物。
【図５】図５は、キャビン内で測定した平均悪臭強度を示す。
【図６】図６は、キャビン内で測定した平均悪臭強度を示す。
【図７】図７は、キャビン内で測定した平均悪臭強度を示す。
【図８】図８は、キャビン内で測定した平均悪臭強度を示す。
【図９】図９は、キャビン内で測定した平均悪臭強度を示す。
【図１０】図１０は、キャビン内で測定した平均悪臭強度を示す。
【図１１】図１１はモデル仮設トイレを示す。左：モデル仮設トイレの側面図。Ａ：層状フィルター。Ｂ：ダンパー。Ｃ：におい発生装置。右：モデル仮設トイレの後ろに配置されたにおい発生装置の正面図。Ｄ：シリンジポンプ。Ｅ：加熱プレート上に取り付けた丸底ガラス。Ｆ：モデル仮設トイレ内のにおい処理剤を運搬する空気を導く吸気口パイプ。
【図１２】図１２は、モデル仮設トイレにおけるトイレの悪臭に対する構成成分の予測される量と測定された量の関係を示す。トイレ内及び３つのトイレ間のにおい物質の均質性。予測される値と比較した測定された気相濃度の平均±標準偏差（ＳＤ）。Ｎ＝９。
【図１３】図１３は、モデル仮設トイレにおいて知覚される心地よさ、入りたい欲求、糞便の特徴及び糞便の強度に対する本開示に従った香料組成物の効果を示す感覚データを示す。感覚プロトコルの検証。心地よさ、入りたい意欲、糞便の特徴、及びにおい評価の強度の平均±９５％信頼区間（ＣＩ）。Ｍｏ：悪臭。Ｐｅｒｆ：香料配合物フローラルＤ  ４．９μｇ／ｌ（表１４を参照されたい）。
【図１４】Ａ）一定のＭｕｋｕｒｕ糞便再構成物の悪臭で香料濃度が増加する感覚刺激の強度の評価。におい処理、温度、及び相対湿度の関数としての強度の平均±９５％ＣＩ。Ｂ）２２℃及び３５℃での強度評価；湿度３０％及び８０％でのデータを組み合わせる。Ｃ）湿度３０％及び８０％での強度評価；２２℃及び３５℃でのデータを組み合わせる。アスタリスクは、平均での有意差のレベルを示す、***Ｐ＜０．０００１、*Ｐ＜０．０５。
【図１５】応答変数、糞便の特徴に対する参考悪臭又は香料の影響の感覚評価。におい処理の糞便の特徴の平均±９５％ＣＩ。青色（２）は悪臭と比較したにおいの群を示し、ピンク色（１）は香料と比較した群を示す。ＡＮＯＶＡに基づいたペアワイズ検定にしたがって、異なる後者の平均は著しく異なる。
【図１６】応答変数、心地よさに対する参考悪臭又は香料の影響の感覚評価。におい処理の関数として心地よさの等級の平均±９５％ＣＩ。青色（２）は悪臭と比較したにおいの群を示し、ピンク色（１）は香料と比較した群を示す。ＡＮＯＶＡに基づいたペアワイズ検定にしたがって、異なる後者の平均は著しく異なる。
【図１７】心地よさの評点の関数としての入ることの評点。線は、心地よさの評点によって評点を予測する線形モデルを示す。
【図１８】図１８は、２５℃（上の３つのグラフ）及び４０℃（下の３つのグラフ）でのＭｕｋｕｒｕ糞便再構成物の悪臭（ＭＯ）＋フローラルＶ、悪臭＋ジャスミンＥ及びＭｕｋｕｒｕ糞便再構成物の悪臭のみについての時間の関数としての試験用仮設トイレにおける心地よさ（黒線）及び糞便の特徴（灰色線）の評点の平均±９５％信頼区間（ＣＩ）を示す。
【図１９】図１９は、２５℃（濃い線）及び４０℃（薄い線）で観察された、フローラルＶ配合物（三角）及びジャスミンＥ配合物（丸）で示されるアンタゴニスト化合物についての時間の関数としての気相濃度の平均を示す。水平の実線はＯＤＴである。
【図２０】図２０は、双方の国（上段：ダーバン、南アフリカ共和国、下段：プーナ、インド）での試験配合物、ジャスミンＥ（左縦列）；フローラルＶ（中央縦列）；及びシトラス２５９３８９ Ｂ（右縦列）についての心地良さ評点の平均±ＳＥＭを示す。番号１、２、３は、試験した３つの仮設トイレに対応する。星は、処理なしで及び処理して得られた評点における有意差を示す：ｎｓＰ＞０．０５；*Ｐ＜＝０．０５；**Ｐ＜０．０１；***Ｐ＜０．００１。黒棒は、試験配合物について観察された心地よさの評点を示す。灰色の棒は、試験配合物の不在下で観察された心地よさの評点を示す。
【図２１】図２１は、双方の国（上段：ダーバン、南アフリカ共和国、下段：プーナ、インド）での試験配合物、ジャスミンＥ（左縦列）；フローラルＶ（中央縦列）；及びシトラス２５９３８９ Ｂ（右縦列）についての糞便の特徴の評点の平均±ＳＥＭを示す。番号１、２、３は、試験した３つの仮設トイレに対応する。星は、処理なしで及び処理して得られた評点における有意差を示す：ｎｓＰ＞０．０５；*Ｐ＜＝０．０５；**Ｐ＜０．０１；***Ｐ＜０．００１。黒い棒は、試験配合物について観察された糞便の特徴の評点を示す。灰色の棒は、試験配合物の不在下で観察された糞便の特徴の評点を示す。
【図２２】図２２は、ダーバンにおける２つの個々の仮設トイレについての時間の関数としての、心地よさ、糞便の特徴及び強度評点の平均±ＳＥＭを示す。「ＷＯ」は試験配合物なし（基準線）。「Ｗ」は試験配合物あり。左の縦列は、仮設トイレ番号１（ジャスミンＥ配合物で処理した又は処理していない）において観察された値を示す。右の縦列は、仮設トイレ番号２（フローラルＶ配合物で処理した又は処理していない）において観察された値を示す。
【図２３】図２３は、ダーバンにおける２つの個々の仮設トイレについての時間の関数としての、心地よさ、糞便の特徴及び強度評点の平均±ＳＥＭを示す。「ＷＯ」は試験配合物なし（基準線）。「Ｗ」は試験配合物あり。左の縦列は、仮設トイレ番号３（フローラルＶ配合物で処理した又は処理していない）において観察された値を示す。右の縦列は、仮設トイレ番号２（シトラス２５９３８９ Ｂ配合物で処理した又は処理していない）において観察された値を示す。
【図２４】図２４は、ダーバン及びプーナにおける２つの個々の仮設トイレについての時間の関数としての、心地よさ、糞便の特徴及び強度評点の平均±ＳＥＭを示す。「ＷＯ」は試験配合物なしである（基準線）。「Ｗ」は試験配合物あり。左の縦列は、仮設トイレ番号２（ダーバンにおけるフローラルＶ配合物で処理した又は処理していない）において観察された値を示す。右の縦列は、仮設トイレ番号２（プーナにおけるフローラルＶ配合物で処理した又は処理していない）において観察された値を示す。
【図２５】図２５は、それぞれのトイレにおける２つの異なる高さで収集された空気試料中に含まれる化合物の実測気相濃度を示す。「低い」０．１５〜０．３ｍ；「高い」１．５〜１．７ｍ。「ａｍｙ」アミルシンナムアルデヒド；「ｂｅｎｚ」ベンジルアセテート：「ｂｅｎｚｐｈ」ベンジルフェニルアセテート；「ｄｉｈｙｄ」ジヒドロリナロール；「ｉｏ」α−イオノン；「ｉｓｏ」イソラリディン（ｉｓｏｒａｌｄｅｉｎｅ）；「ｊａｓ」シスジャスモン（ｃｉｓ ｊａｓｍｏｎｅ）；「ｌｉｌｙ」リリフローラ（ｌｙｌｉｆｌｏｒｅ）；「ｌｉｎａ」リナリルアセテート（ｌｉｎａｌｙｌ ａｃｅｔａｔｅ）；「ｒｏｓ」ロジノール（ｒｏｓｉｎｏｌ）；「ｚｅｓｔ」ゼストバー（ｚｅｓｔｏｖｅｒ）。左上のパネルは、ダーバンにおける仮設トイレ番号２においてで観察された値を示す。右上のパネルは、ダーバンにおける仮設トイレ番号３においてで観察された値を示す。左下のパネルは、プーナにおける仮設トイレ番号１においてで観察された値を示す。右下のパネルは、プーナにおける仮設トイレ番号２においてで観察された値を示す。
【図２６】野外で採取した大気試料（三角）及びモデル仮設トイレ（丸）において見出される化合物の気相濃度（ｌｏｇ１０（μｇ／Ｌ））。「ａｍｙ」アミルシンナムアルデヒド；「ｂｅｎｚ」ベンジルアセテート：「ｂｅｎｚｐｈ」ベンジルフェニルアセテート；「ｄｉｈｙｄ」ジヒドロリナロール；「ｉｏ」α−イオノン；「ｉｓｏ」イソラリディン（ｉｓｏｒａｌｄｅｉｎｅ）；「ｊａｓ」シスジャスモン（ｃｉｓ ｊａｓｍｏｎｅ）；「ｌｉｌｙ」リリフローラ（ｌｙｌｉｆｌｏｒｅ）；「ｌｉｎａ」リナリルアセテート（ｌｉｎａｌｙｌ ａｃｅｔａｔｅ）；「ｒｏｓ」ロジノール（ｒｏｓｉｎｏｌ）；「ｚｅｓｔ」ゼストバー（ｚｅｓｔｏｖｅｒ）。
【図２７】図２７は、Ｍｕｋｕｒｕ糞便再構成物の悪臭と組み合わせて評価された試験配合物及び３つの対照配合物の平均計数評点を示す。
【図２８】図２８は、Ｍｕｋｕｒｕ糞便再構成物の悪臭と組み合わせて評価された試験配合物及び３つの対照配合物の平均計数評点を示す。
【図２９】図２９は、Ｍｕｋｕｒｕ糞便再構成物の悪臭と組み合わせて評価された試験配合物及び４つの対照配合物の平均計数評点を示す。
【００１５】
発明の詳細な説明
定義
特に明記されない限り、パーセンテージは質量百分率を示すことを意味する。
【００１６】
本明細書において使用されるように、「含む（ｉｎｃｌｕｄｅ）」又は「含有する（ｃｏｍｐｒｉｓｅ）」という用語は限定されないことを意味する。
【００１７】
本明細書で使用されるように、群Ｉとも言われる悪臭受容体アンタゴニスト、悪臭アンタゴニスト系又は悪臭アンタゴニスト成分という用語は、悪臭標的に応答する少なくとも１つの嗅覚受容体を阻害する能力をそれぞれ有する１つ又は複数の化合物を示し、以下の実施例に記載されるように、その応答が受容体によって駆動される培養細胞株における嗅覚ニューロン又は単離された受容体の活性を測定することによって同定される。
【００１８】
本明細書において使用されるように、「悪臭標的」は、インドール、酪酸、ｐ−クレゾール、スカトール及びジメチルトリスルフィドを含む、Ｌｉｎら（Ｅｎｖｉｒｏｎ． Ｓｃｉ． Ｔｅｃｈｎｏｌ．， ２０１３， ４７ （１４）， ｐｐ ７８７６〜７８８２）において特徴付けられる糞便の悪臭の分子成分を示すことを意味する。
【００１９】
本明細書において使用されるように、機能的香料アコード（群ＩＩと言われる）という用語は、例えば糞便の悪臭の少なくとも１つの要素に対して実行する官能測定によって確立されている機能的付香成分と言われる少なくとも２つの付香成分の混合物を示すことを意味する。
【００２０】
本明細書において使用されるように、非機能的香料アコード（群ＩＩＩと言われる）という用語は、糞便の悪臭中和剤として機能しない非機能的付香成分、すなわち群Ｉ又は群ＩＩの一部ではない付香成分と言われる、少なくとも１つの、あるいは少なくとも２つの付香成分の混合物であることを意味する。
【００２１】
本明細書において使用されるように、香料又は香油又は香料アコードという用語は、付香成分の混合物を示すために使用される。
【００２２】
さらに、「付香成分」に関しては、本明細書では、少なくとも快楽作用を付与するための付香調製物又は組成物において使用されてよい化合物を意味する。言い換えれば、付香成分であると考えられるべきかかる成分は、ポジティブ又は好ましい方法で組成物のにおいを付与又は改質することができると、及び単に１つのにおいを有するだけでないと香料の当業者によって認識される必要がある。
【００２３】
いずれにしても網羅的とはならないであろう付香成分の性質及びタイプは、ここでより詳細な記載を保証するものではなく、その際当業者は、一般の知識に基づいて、及び任意の使用又は適用及び所望された感覚刺激性効果に従って、それらを選択することができる。一般的な用語で、これらの付香成分は、アルコール、ラクトン、アルデヒド、ケトン、エステル、エーテル、アセテート、ニトリル、テルペノイド、窒素又は硫黄の複素環化合物及び精油と多様な化学品種に属し、かつ該付香補助成分は、天然又は合成由来のものであってよい。
【００２４】
特に、香料配合物において慣用的に使用される付香成分を挙げることができ、例えば以下のものである：
−  アルデヒド成分：デカナール、ドデカナール、２−メチル−ウンデカナール、１０−ウンデカナール、オクタナール及び／又はノネナール；
−  芳香性ハーブ成分：ユーカリ油、樟脳、オイカリプトール、メントール及び／又はアルファ−ピネン；
−  バルサム成分：クマリン、エチルバニリン及び／又はバニリン；
−  シトラス成分：ジヒドロミリセノール、シトラール、オレンジ油、リナリルアセテート、シトロネリルニトリル、オレンジテルペン、リモネン、１−Ｐ−メンテン−８−イルアセテート及び／又は１，４（８）−Ｐ−メンタジエン；
−  フローラル成分：メチルジヒドロジャスモネート、リナロール、シトロネロール、フェニルエタノール、３−（４−ｔｅｒｔ−ブチルフェニル）−２−メチルプロパナール、ヘキシルシンナムアルデヒド、ベンジルアセテート、ベンジルサリチレート、テトラヒドロ−２−イソブチル−４−メチル−４（２Ｈ）−ピラノール、ベータイオノン、メチル２−（メチルアミノ）ベンゾエート、（Ｅ）−３−メチル−４−（２，６，６−トリメチル−２−シクロヘキセン−１−イル）−３−ブテン−２−オン、ヘキシルサリチレート、３，７−ジメチル−１，６−ノナジエン−３−オール、３−（４−イソプロピルフェニル）−２−メチルプロパナール、バージルアセテート、ゲラニオール、Ｐ−メンタ−１−エン−８−オール、４−（１，１−ジメチルエチル）−１−シクロヘキシルアセテート、１，１−ジメチル−２−フェニルエチルアセテート、４−シクロヘキシル−２−メチル−２−ブタノール、アミルサリチレート、高シスメチルジヒドロジャスモネート、３−メチル−５−フェニル−１−ペンタノール、バージルプロピオネート、ゲラニルアセテート、テトラヒドロリナロール、シス−７−Ｐ−メタノール、プロピル（Ｓ）−２−（１，１−ジメチルプロポキシ）プロパノエート、２−メトキシナフタレン、２，２，２−トリクロロ−１−フェニルエチルアセテート、４／３−（４−ヒドロキシ−４−メチルペンチル）−３−シクロヘキセン−１−カルバルデヒド、アミルシンナムアルデヒド、４−フェニル−２−ブタノン、イソノニルアセテート、４−（１，１−ジメチルエチル）−１−シクロヘキシルアセテート、バージルイソブチレート及び／又はメチルイオノン異性体の混合物；
−  フルーティー成分：ガンマウンデカラクトン、４−デカノリド、エチル２−メチル−ペンタノエート、ヘキシルアセテート、エチル２−メチルブタノエート、ガンマノナラクトン、アリルヘプタノエート、２−フェノキシエチルイソブチレート、エチル２−メチル−１，３−ジオキソラン−２−アセテート及び／又はジエチル１，４−シクロヘキサンジカルボキシレート；
−  グリーン成分：２，４−ジメチル−３−シクロヘキセン−１−カルバルデヒド、２−ｔｅｒｔ−ブチル−１−シクロヘキシルアセテート、スチラリルアセテート、アリル（２−メチルブトキシ）アセテート、４−メチル−３−デセン−５−オール、ジフェニルエーテル、（Ｚ）−３−ヘキセン−１−オール及び／又は１−（５，５−ジメチル−１−シクロヘキセン−１−イル）−４−ペンテン−１−オン；
−  ムスク成分：１，４−ジオキサ−５，１７−シクロヘプタデカンジオン、ペンタデカノリド、３−メチル−５−シクロペンタデセン−１−オン、１，３，４，６，７，８−ヘキサヒドロ−４，６，６，７，８，８−ヘキサメチル−シクロペンタ−ｇ−２−ベンゾピラン、（１Ｓ，１’Ｒ）−２−［１−（３’，３’−ジメチル−１’−シクロヘキシル）エトキシ］−２−メチルプロピルプロパノエート、ペンタデカノリド及び／又は（１Ｓ，１’Ｒ）−［１−（３’，３’−ジメチル−１’−シクロヘキシル）エトキシカルボニル］メチルプロパノエート；
−  ウッディー成分：１−（オクタヒドロ−２，３，８，８−テトラメチル−２−ナフタレニル）−１−エタノン、パチュリ油、パチュリ油のテルペン画分、（１’Ｒ，Ｅ）−２−エチル−４−（２’，２’，３’−トリメチル−３’−シクロペンテン−１’−イル）−２−ブテン−１−オール、２−エチル−４−（２，２，３−トリメチル−３−シクロペンテン−１−イル）−２−ブテン−１−オール、メチルセドリルケトン、５−（２，２，３−トリメチル−３−シクロペンテニル）−３−メチルペンタン−２−オール、１−（２，３，８，８−テトラメチル−１，２，３，４，６，７，８，８ａ−オクタヒドロナフタレン−２−イル）エタン−１−オン及び／又はイソボルニルアセテート；
−  他の成分（例えばアンバー、パウダリースパイシー又はウォータリー）：ドデカヒドロ−３ａ，６，６，９ａ−テトラメチル−ナフト［２，１−ｂ］フラン及び任意のその立体異性体、ヘリオトロピン、アニスアルデヒド、オイゲノール、シンナムアルデヒド、チョウジ油、３−（１，３−ベンゾジオキソール−５−イル）−２−メチルプロパナール及び／又は３−（３−イソプロピル−１−フェニル）ブタナール。
【００２５】
付香成分は、これらに制限されないが前記したものであってよく、多くの他のこれらの成分は、いずれにしても、参考文献、例えばＳ． ＡｒｃｔａｎｄｅｒによるＰｅｒｆｕｍｅ ａｎｄ Ｆｌａｖｏｒ Ｃｈｅｍｉｃａｌｓ， １９６９， Ｍｏｎｔｃｌａｉｒ， Ｎｅｗ Ｊｅｒｓｅｙ， ＵＳＡ、又はその最新版において、又は同様の種類の他の著作において、並びに香料の分野における特許文献において挙げられている。補助成分は、制御された方法で種々のタイプの付香化合物を放出することが公知の化合物であってもよいことも理解される。
【００２６】
驚くべきことに、表１の群から選択される少なくとも１つの成分を含む悪臭受容体アンタゴニスト系と、糞便の悪臭に対して機能する付香成分からなる機能的香料アコードとの関係が、糞便の悪臭の知覚を制限、減少、又は排除することにおいて機能的香料アコードの効果を改善することが立証されている。
【００２７】
したがって、本開示に従った第一の目的は、糞便の悪臭の知覚を減少、制限、又は排除するための、
（ｉ）表１の群から選択される少なくとも１つの成分を含む悪臭受容体アンタゴニスト系約２質量％〜約８５質量％、
（ｉｉ）少なくとも２つの付香成分（但し表１において挙げた任意の成分を除く）、あるいは表２から選択される付香成分を含み、フローラル、シトラス及びジャスミンから選択される香調を有する機能的香料アコード約１５質量％〜９８質量％、並びに
（ｉｉｉ）任意に非機能的香料アコード
を含む組成物の使用である。
【００２８】
【表１−１】
2020500589.tif 000002
【表１−２】
2020500589.tif 000003
【表１−３】
2020500589.tif 000004
【表１−４】
2020500589.tif 000005
【表１−５】
2020500589.tif 000006
【００２９】
【表２−１】
2020500589.tif 000007
【表２−２】
2020500589.tif 000008
【表２−３】
2020500589.tif 000009
【００３０】
群Ｉ：
表１からの成分は、本開示に従って使用される組成物の２〜８５質量％で含まれる。一態様に従って、本開示に従って使用される組成物は、６〜７０質量％の量で前記で定義した悪臭アンタゴニスト系を含む。他の態様に従って、本開示に従って使用される組成物は、８〜６０質量％の量で前記で定義した悪臭アンタゴニスト系を含む。他の態様に従って、本開示に従って使用される組成物は、８〜４６質量％の量で前記で定義した悪臭アンタゴニスト系を含む。
【００３１】
本開示の特定の態様に従って、本開示に従って使用される組成物からの悪臭受容体アンタゴニスト系（群Ｉ）は、表１から選択される少なくとも３つの成分を含む。他の態様に従って、表１から選択される少なくとも４つ、あるいは少なくとも５つ、あるいは少なくとも６つ、又は少なくとも８つの成分は、悪臭受容体アンタゴニスト系の一部である。
【００３２】
群ＩＩ：
本開示における群ＩＩは、前記で定義した機能的香料アコードである。それは、本開示に従って使用される組成物の１５〜９８質量％の範囲の量で存在する。一態様に従って、それは３０〜９４質量％の範囲の量で存在する。他の態様に従って、それは組成物の４０〜９２質量％の範囲の量で存在する。他の態様に従って、それは組成物の２９〜９２質量％の範囲の量で存在する。
【００３３】
特定の態様に従って、群ＩＩは、イオノン、イロン、ダマスコン、シトラール（ｃｉｔｒａｌ）、シトロネロールＢＪ（ｃｉｔｒｏｎｅｌｌｏｌ ＢＪ）、シトロネリルニトリル（ｃｉｔｒｏｎｅｌｌｙｌ ｎｉｔｒｉｌｅ）、レモニル（ｌｅｍｏｎｉｌｅ）、メチルシトラール（ｍｅｔｈｙｌｃｉｔｒａｌ）、シンナムアルデヒド（ｃｉｎｎａｍｉｃ ａｌｄｅｈｙｄｅ）、メチルシンナムアルデヒド、ヘキシルシンナムアルデヒド、ペラルゴジエナール（ｐｅｌａｒｇｏｄｉｅｎａｌ）、アルデヒドＣ１１ウンデシル酸塩（ａｌｄｅｈｙｄｅ Ｃ１１ ｕｎｄｅｃｙｌｉｃ）、アルデヒドスペラ（ａｌｄｅｈｙｄｅ ｓｕｐｒａ）、ドデカナール、アルデヒドＣ８、アルデヒドＣ９、アルデヒドＣ１２、オリボン（ｏｒｉｖｏｎｅ）及びそれらの混合物からなる群から選択される成分からなる。
【００３４】
特定の態様に従って、群ＩＩは、表２の群からの成分からなる。
【００３５】
特定の態様に従って、群ＩＩは、イオノン、イロン、ダマスコン、シトラール、メチルシンナムアルデヒド、ペラルゴジエナール、オリボン、それらの誘導体及びそれらの混合物からなる群から選択されるものからなる。
【００３６】
ある態様において、イオノン、イロン、ダマスコンは、ダマスコンアルファ、ダマスコンベータ、デルタダマスコン、フィラスコン（ｆｉｒａｓｃｏｎｅ）、ガリオン（ｇａｌｉｏｎｅ）、ガンマダマスコン、イロンアルファ、イロンベータ、イソラルディン７０Ｐ、メチイオノン（ｍｅｔｈｙｉｏｎｏｎｅ）ベータ、メチルイオノンガンマＣｏｅｕｒ ＩＦＦ、バイオレットＡＩ、バイオレットＡＴ、及びバイオレットＢＣを含む。
【００３７】
ある態様において、メチルシンナムアルデヒドは、シンナムアルデヒド、メチルシンナムアルデヒド、ヘキシルシンナムアルデヒドを含むアルキル誘導体を含む。
【００３８】
ある態様において、メチルシンナムアルデヒドは、シンナムアルデヒド、メチルシンナムアルデヒド、ヘキシルシンナムアルデヒドを含むアルキル誘導体を含む。
【００３９】
群ＩＩＩ：
特定の態様に従って、本開示に従って使用される組成物は、前記で定義した非機能的香料アコードを含む。非機能的香料アコードは、群ＩＩの一部でも群Ｉの一部でもない前記で定義した付香成分からなる。本開示に従った組成物中に存在する場合に、非機能的香料アコードは、典型的に、前記態様のいずれかにおいて定義した組成物の０．５〜７０質量％、あるいは０．５〜５０質量％の範囲の量で含まれてよい。
【００４０】
群ＩＶ：送達系
特定の態様に従って、前記で定義した組成物は、送達系と組み合わせて使用されてよい。送達系の使用は、組成物中の活性成分の任意の気相濃度を達成することを可能にする。本開示の目的に適した送達系は、以下を含むがそれらに制限されない：
・  受動メッキ支持体であって、次の制限のない例：セルロース（紙／厚紙）、バーミキュライト、他の工業用吸収剤、パーライト、炭酸カルシウム、軽石、他の鉱物、木材、おがくず、粉砕したトウモロコシの穂軸、粉砕した籾殻、籾殻灰、他の農業副産物、バイオ炭、デンプン、加工デンプンから選択されるルースパウダー又は圧縮された形で多孔質又は多孔質ではない基材の１つ以上を含む、受動メッキ支持体；
・  噴霧乾燥湿潤活性カプセル化系であって、本開示に従った組成物が、これらに制限されないが、マルトデキストリン、オクテニルコハク酸デンプン（加工デンプン）の１つ以上を含むマトリックス内で噴霧乾燥法によってカプセル化されている、噴霧乾燥湿潤活性カプセル化系；
・  コアシェルカプセル化系、例えば不浸透性シェル（例えばポリウレア、ポリウレタン等）及びコアにおいて本開示に従った組成物を有する機械活性化マイクロカプセル；
・  界面活性剤を含む液体混合物；
・  ポリマー材料。
【００４１】
したがって、前記態様のいずれかにおいて定義された組成物であって、さらに、マイクロカプセル又は微粒子を形成するためのカプセル化材料、例えばポリマー、又は組成物のための液体送達系を形成するための材料、例えばエマルション、マイクロエマルション、ミニエマルション、ゲル、ミクロゲル、無水物ゲルもしくは分散液を含む組成物の使用も、本開示の目的である。
【００４２】
特定の態様に従って、前記態様のいずれかにおいて定義された組成物は、ルースパウダー又は圧縮された形での多孔質又は多孔質ではない基材上で吸収され、ここで、基材は、セルロース（紙／厚紙）、バーミキュライト、他の工業用吸収剤、パーライト、炭酸カルシウム、軽石、木材、おがくず、粉砕したトウモロコシの穂軸、粉砕した籾殻、籾殻灰、バイオ炭、デンプン、加工デンプン及びそれらの混合物から選択される。
【００４３】
本開示の第二の目的は、表１の群から選択される少なくとも３つ、あるいは少なくとも４つの成分からなる悪臭受容体アンタゴニスト系からなる。
【００４４】
本開示の他の目的は、
ａ）少なくとも１つ、あるいは少なくとも３つの表１から選択される成分を含む悪臭受容体アンタゴニスト系を有効量の約２〜約８５質量％、
ｂ）表２から選択される成分からなる群から選択される少なくとも２つの成分を含む機能的香料アコードを約１５〜約９８質量％、並びに
ｃ）任意に、少なくとも２つの付香成分を含む非機能的香料アコード
を含む悪臭中和組成物である。
【００４５】
特定の態様に従って、前記組成物は、群Ｉの約６〜約７０質量％を含む。他の態様に従って、前記組成物は、群Ｉの約８〜約６０質量％を含む。
【００４６】
特定の態様に従って、悪臭受容体アンタゴニスト系は、組成物の少なくとも２質量％、あるいは少なくとも３質量％の量で、（２，５−ジメチル−２，３−ジヒドロ−１Ｈ−インデン−２−イル）メタノール（ＬＩＬＹＦＬＯＲＥ（登録商標））を含む。
【００４７】
あらゆる特定の理論に限定されることを意図しないが、悪臭受容体アンタゴニスト系内の成分の組み合わせは、糞便の悪臭の知覚の相乗的な減少又は排除を示しうる。かかる悪臭中和組成物の例は以下の実施例１６において示されている。したがって、ある態様において、悪臭受容体アンタゴニスト系は、（２，５−ジメチル−２，３−ジヒドロ−１Ｈ−インデン−２−イル）メタノール（ＬＩＬＹＦＬＯＲＥ（登録商標））を含み、かつ機能的香料アコードは、イソラルディン（アルファ−メチルイオノン及びイソメチル−アルファ−イオノン）及びα−イオノン（バイオレットＡＴともいわれる）を含む。代わりに、機能的香料アコードは、さらにシトラールを含む。
【００４８】
代わりに、ある態様において、悪臭受容体アンタゴニスト系は、（２，５−ジメチル−２，３−ジヒドロ−１Ｈ−インデン−２−イル）メタノール（ＬＩＬＹＦＬＯＲＥ（登録商標））及び（＋−）−３，７−ジメチル−１−オクテン−３−オール（ジヒドロリナロール）を含み、かつ機能的香料アコードは、イソラルディン（アルファ−メチルイオノン及びイソメチル−アルファ−イオノン）及びα−イオノン（バイオレットＡＴともいわれる）を含む。
【００４９】
本開示の組成物は、少なくともＭＯＣ活性を有するために有用であってよい、任意の消費者製品においても有利に使用されうる。したがって、本開示の他の目的は、活性成分として、前記で定義した少なくとも１つの本開示に従った組成物を含むＭＯＣ消費者製品により示される。
【００５０】
前記組成物は、本明細書において示される態様に従ったＭＯＣ組成物（送達系を含む）自体又はその一部として添加されてよい。
【００５１】
前記ＭＯＣ消費者製品は、その性質により、付香消費者製品であってもよいことが理解される。
【００５２】
明確性の理由から、「ＭＯＣ消費者製品、及び任意に付香消費者製品」又は同様の語句に関しては、少なくともＭＯＣ効果を、及び任意に心地よい付香効果も、付香効果が適用される表面（例えば皮膚、髪、織物、又は家の表面だけでなく空気も）に提供することが期待された消費者製品を意味することに注意すべきである。言い換えれば、本開示に従った消費者製品は、機能的な配合物、並びに任意に所望の消費者製品に対応する追加の有効物質、例えば洗剤又はエアフレッシュナー、及び有効量の本開示からの化合物又は組成物の少なくとも１つを含む、着香消費者製品である。明確性の理由から、前記消費者製品は、食用でない生成物である。
【００５３】
いずれにしても網羅的とはならないであろうＭＯＣ消費者製品の成分の性質及びタイプは、ここでより詳細な記載を保証するものではなく、その際当業者は、一般的な知識に基づいて、及び該製品の性質及び所望の効果に従って、それらを選択することができる。
【００５４】
適した付香消費者製品の制限のない例は、以下であってよい：
−  布地用ケア製品、例えば液体洗剤、粉末洗剤、錠剤型洗剤、棒状洗剤、ペースト状洗剤、液体布地用柔軟剤、シート状布地用柔軟剤、布地用加香剤（ｆａｂｒｉｃ ｓｅｎｔ ｂｏｏｓｔｅｒ）、洗濯前処理剤（ｌａｕｎｄｒｙ ｐｒｅ−ｔｒｅａｔｍｅｎｔ）、布地用リフレッシャー、アイロン水、洗濯用漂白剤、カーペットパウダー又はカーペットクリーナー；このタイプの製品についての使用は、消費者に利用可能な標準水が記載された悪臭に関連しうる場合に特に有益である（特に腐敗した水）；
−  トイレットペーパー又はナプキン；
−  エアフレッシュ製品、例えばスプレー状エアフレッシュナー、ゲル状エアフレッシュナー、リキッドウィックエアフレッシュナー、多孔質物質（例えば、紙もしくはカードブロッター、多孔質セラミック、又は多孔質プラスチック）を含む固体エアフレッシュナー、透過性の膜を含む液体もしくはゲル状のエアフレッシュナー、電動エアフレッシュナー、及び二重目的のエアフレッシュナー／消毒スプレー；並びに／又は
−  表面ケア製品、例えば万能クリーナー、家具用艶出し剤、ウッドフロアクリーナー、トイレ用ケア製品（例えば、便器洗浄液、タンク投入型トイレ洗浄剤（ｉｎ−ｃｉｓｔｅｒｎ ｔｏｉｌｅｔ ｃｌｅａｎｅｒ）、トイレリムブロック（ｔｏｉｌｅｔ ｒｉｍ ｂｌｏｃｋ）、又はトイレリムリキッド（ｔｏｉｌｅｔ ｒｉｍ ｌｉｑｕｉｄ））；ペットリター（ｐｅｔ−ｌｉｔｔｅｒ）。
【００５５】
いくつかの前記ＭＯＣ消費者製品は、本開示のある態様に従った化合物にとってアグレッシブな媒体であることもあるため、適切な外部刺激、例えば酵素、光、熱又はｐＨの変化に対して、例えばカプセル化によって、又は成分の放出に適した他の化学物質との化学的結合によって該化合物を早すぎる分解から保護する必要があってよい。
【００５６】
開示されている概念及び特定の態様が、本開示の同様の目的を実施するための他の調製物を改質又は配合するための基礎として容易に使用されてよいことは、当業者により評価されるべきである。かかる同等の配合物は、添付した特許請求の範囲に記載された本開示の趣旨及び範囲から逸脱するものではないことは、当業者により十分に理解されるべきでもある。
【００５７】
種々の前記製品又は組成物中に組込まれてよい本開示に従った化合物における割合は、広い範囲の値で変動する。これらの値は、ＭＯＣ消費者製品の性質に、及び所望の感覚受容性効果に、並びに本開示に従った化合物が他の成分、溶剤又は当該技術分野において通常使用される添加剤と混合される場合に所与の組成物における補助成分の性質に依存する。
【００５８】
例えば、付香組成物の場合において、典型的に濃度は、組込まれる組成物の質量に対して、本開示の組成物の０．０１質量％〜６０質量％、又はさらに１質量％〜１０質量％、又はそれ以上の範囲である。これらより低い濃度、例えば０．０１質量％〜２質量％の範囲は、これらの化合物がＭＯＣ消費者製品中に組込まれる場合に使用されてよく、その際パーセンテージは消費者製品の質量に対する。
【００５９】
特に、種々の前記消費者製品において使用される本開示に従ったＭＯＣ化合物の濃度は、消費者製品の性質に依存して、種々の広範な値の範囲内で変動する。
【００６０】
糞便の悪臭を中和するための非治療的方法であって、前記態様のいずれかにおいて定義された組成物で表面を処理すること又は前記態様のいずれかにおいて定義された組成物を少なくとも部分的に空気中に分配することを含む方法も、本開示の目的である。
【００６１】
実施例
本開示は、次の実施例によってさらに詳細に記載され、その際略語は、当該技術分野において通常の意味を有し、温度は、摂氏度（℃）で示される。
【００６２】
実施例１
アンタゴニストの同定 − ｅｘ ｖｉｖｏでの生ニューロンアッセイによる悪臭受容体アンタゴニストの同定
ｅｘ ｖｉｖｏ生ニューロンアッセイにおいて、嗅神経細胞（ｏｌｆａｃｔｏｒｙ ｓｅｎｓｏｒｙ ｎｅｕｒｏｎ（ＯＳＮ））を、マウスの嗅上皮から抽出し、順次送達された刺激に対する応答について試験する。その際、応答を、生細胞のカルシウムイメージング顕微鏡によって検出する。少なくとも１０００個及び約５０００〜１００００個のＯＳＮを、表１に挙げたあらゆる化合物について試験した。当該技術分野における先行研究を通して、抽出されたＯＳＮの大多数が、マウスのゲノムに存在する約１２００個のにおい物質受容体（ＯＲ）のうちの１個を発現することが確立されており、抽出されたＯＳＮの試料において、１２００個のＯＲの大部分が少なくとも１つのＯＳＮで示される。送達された刺激に対するＯＳＮの応答は発現されたＯＲによって完全に駆動されるため、ＯＳＮは、におい物質の同一性及び強度を選択的に検出し、まとめてコードする。ＭＯ分子でＯＳＮを刺激し、それぞれのＯＳＮの応答を測定することによって、応答が誘導されるサブセットは、ＭＯを検出し、したがっておそらくＭＯをコードするものである。続いてＭＯと候補のアンタゴニストとの混合物を同じ細胞に送達することによって、それぞれのＭＯ応答性ＯＳＮにおけるシグナルの抑制の程度（「阻害のレベル」）を決定することができる。それぞれの細胞における阻害の程度を、３つの群：低い阻害（１０〜２５％）、中程度の阻害（２５〜７５％）及び強い阻害（７５〜１００％）のうちの１つに分類した。さらに、低い、中程度及び高い阻害を示すＭＯ応答性ＯＳＮの割合を計算した。これらのデータの例を図１ａ〜ｄにおいて示す。最小の強度で最小の割合を超えるＯＳＮを阻害した化合物を、アンタゴニスト「ヒット」及び推定の悪臭抑制化合物と見なした。最小レベルは、それぞれ、強い阻害を示す集団の１０％及び／又は中程度の阻害を示す集団の２５％及び／又は弱い阻害を示す集団の４０％であった。
【００６３】
マウスとヒトの受容体の間の遺伝的類似性は、それらの共有された進化の歴史及び進化的な時間尺度にわたるおそらく同様の天然のにおい環境により、たとえ個々のオルソログ受容体（すなわち、共通の祖先を共有し、典型的には遺伝的配列において最も類似していると考えられているもの）がマウス由来の受容体と異なるレベルの機能的類似性を示しうる場合であっても、マウスＯＲのＭＯ応答集団に関する全体的な観察がヒトのＯＲから得られたものと正に相関すべきであることが推定されることを導く。
【００６４】
図１ａ〜ｄは、標的糞便ＭＯに対する生ニューロンアッセイアンタゴニストスクリーニングからの結果の例を示し、ＭＯ受容体の拮抗作用の証拠を提供する。ニューロン集団の阻害レベルを、高い（７５〜１００％、黒）、中程度（２５〜７５％、ハッシュ）及び低い（１０〜２５％、白）に分類した。アンタゴニスト又は「ヒット」と考えられる化合物は、垂直線（Ａ、Ｂ、Ｃ）により示される集団量を通過する必要があり、ここで、高い阻害は、Ａ（ＭＯ応答性ＯＳＮの集団の１０％）を通過しなければならず、及び／又は中程度の阻害は、Ｂ（ＭＯ応答性ＯＳＮの集団の２５％）を通過しなけらばならず、及び／又は低い阻害はＣ（ＭＯ応答性ＯＳＮの集団の４０％）を通過しなけらばならない。
【００６５】
実施例２
個々の悪臭受容体アンタゴニスト系、個々の機能的付香成分及び本開示に従った組成物についての残留糞便臭評点の感覚測定
悪臭受容体アンタゴニスト系及び組成物を、３．４μｇ／ｌ（空気）の特有の気相濃度で提示した。
【００６６】
組成物を評価するための感覚的方法は、対象群に対して組成物及び悪臭の十分に制御され安定した気相濃度を達成するためにＦｉｒｍｅｎｉｃｈ設計の空気希釈オルファクトメーターの使用を必要とする。
【００６７】
３０人の被験者は、最初に糞便再構成物*のみを評価し、そして３つの属性「新鮮度」、「心地よさ」及び「糞便」（悪臭の特徴）を０から１０の尺度で評価した。次の評価は、においの適応を避けるために３０秒後に行った。糞便の悪臭再構成物をオルファクトメーター中で試験組成物と一緒に注入した。同一のディスクリプタの評点を記録した。
【００６８】
*モデル悪臭は、インドール、メチルメルカプタン、ｐ−クレゾール及び酪酸から製造した糞便再構成物である。糞便の悪臭再構成物及びその成分の気相濃度は、トイレの気相サンプリングからのヘッドスペース分析結果に対応する（Charles JF Chappuis, Yvan Niclass, Christine Vuilleumier, and Christian Starkenmann Quantitative Headspace Analysis of Selected Odourants from Latrines in Africa and India Environ. Sci. Technol. 2015, 49, 6134−6140）。
【００６９】
結果を、糞便再構成物のみ及び試験した組成物と組み合わせた糞便再構成物について、３つのディスクリプタについての平均した評点として表す。
【００７０】
図２は、（２，５−ジメチル−２，３−ジヒドロ−１Ｈ−インデン−２−イル）メタノール（ＬＩＬＹＦＬＯＲＥ（登録商標））からなる悪臭アンタゴニスト系を、α−イオノン（バイオレットＡＴとも言われる）及びイソラルディン（ｉｓｏｒａｌｄｅｉｎｅ）からなる機能的香料アコードと組み合わせた場合に残っている評点の結果を報告する。
【００７１】
同位置の濃度で提示した場合に、糞便再構成物の知覚の有意な低下（残留糞便臭＜５０％）が得られたことが分かる：
−  独立して悪臭アンタゴニスト系、特に（２，５−ジメチル−２，３−ジヒドロ−１Ｈ−インデン−２−イル）メタノール（ＬＩＬＹＦＬＯＲＥ（登録商標））、及び機能的香料アコード（バイオレットＡＴ又はイソラルディン）の単独成分、ＯＲ
−  （２，５−ジメチル−２，３−ジヒドロ−１Ｈ−インデン−２−イル）メタノール（ＬＩＬＹＦＬＯＲＥ（登録商標））からなる悪臭受容体アンタゴニスト系と、機能的香料アコード（「混合物」で）ＯＲとの組合せ
−  表１からの多数のアンタゴニストを有する悪臭受容体アンタゴニスト系を機能的及び非機能的香料アコードを含む組成物に添加。
【００７２】
Ａｌｉａｓは、表１からのアンタゴニストを含まず、かつ当業者に周知の香料成分を含まずに設計されたフローラル組成物である。しかしながら、それは糞便再構成物に限られた効果しかない。この組成物を糞便再構成物と組み合わせた場合に残った糞便評点は＞５０％である。これは、アンタゴニストによる悪臭低減効果が特異的であり、香料成分による単純な遮蔽によるものではないことを証明している。
【００７３】
実施例３
本開示に従った組成物の感覚的性能
以下、
−  悪臭アンタゴニスト系としてのＬＩＬＹＦＬＯＲＥ（登録商標）（（２，５−ジメチル−２，３−ジヒドロ−１Ｈ−インデン−２−イル）メタノール）
−  機能的香料アコードとしてのイソラルディン及びバイオレットＡＴ（α−イオノン）
からなる本開示に従った組成物の混合物の糞便のモデル悪臭*を抑制する能力は、混合物中のその投与量でのそれぞれの成分単独での能力（最大５８％）と比較して著しく増加する（７０％）。
【００７４】
実例：図３は、糞便再構成物に対する３つの単一化合物の性能及びそれらの混合物（フローラルアコード）の性能を示す。
【００７５】
図３は特に、本開示に従った組成物が糞便モデル悪臭を抑制する能力を示す。それぞれの成分を混合物中のその投与量で単独で試験した。混合物を３．４μｇ／ｌ（空気）で試験した。
【００７６】
ブラインド感覚評価をまとめた；ランダムに提示されたにおい物質刺激について、３１人の参加者に情報を開示しなかった。試験を二重化し、観察結果を蓄積した。
【００７７】
実施例４
本開示に従った組成物
次の表は本開示に従った組成物を示す。
【００７８】
【表３】
2020500589.tif 000010
【００７９】
【表４】
2020500589.tif 000011
【００８０】
【表５】
2020500589.tif 000012
【００８１】
【表６】
2020500589.tif 000013
【００８２】
【表７】
2020500589.tif 000014
【００８３】
【表８】
2020500589.tif 000015
【００８４】
【表９】
2020500589.tif 000016
【００８５】
実施例５
本開示に従った組成物の感覚的評価
実施例４で記載された組成物を評価するための感覚的方法は、対象群に対して組成物及び悪臭の十分に制御され安定した気相濃度を達成するためにＦｉｒｍｅｎｉｃｈ設計の空気希釈オルファクトメーターの使用を必要とする。
【００８６】
３０人の被験者は、最初に糞便再構成物のみを評価し、そして以前に等分目盛で表現したものと同一のディスクリプタを評価した。次の評価は、においの適応を避けるために３０秒後に行った。糞便の悪臭再構成をオルファクトメーター中で試験組成物と一緒に注入した。同一のディスクリプタの評点を記録した。
【００８７】
結果を、糞便再構成物のみ及び試験した組成物と組み合わせた糞便再構成物について、３つのディスクリプタについての平均した評点として表す。
【００８８】
実例：グラフ（図４）は、糞便再構成物のみ（試験にわたって特有の濃度で）及び次の組成物と糞便再構成物との組み合わせについての糞便、新鮮度及び心地よさの特性の評点を示す：
−  同定したアンタゴニストを有さない組成物（Ａｌｉａｓという）
−  段階的にアンタゴニスト系を含むフローラル組成物（フローラルＥ、Ｐ及びＲＤという）の繰り返し
−  段階的にアンタゴニスト系を含むシトラス組成物（シトラスＢ及びＨという）の繰り返し
−  アンタゴニスト系を含むジャスミン組成物（ジャスミンＥという）の繰り返し。
【００８９】
クラスＩ（アンタゴニスト系）、ＩＩ（機能的香料アコード）及びＩＩＩ（非機能的香料アコード）からの成分の数及び質量％を示す。
【００９０】
全てのこれら組成物を、３つの減少させた濃度Ｃ１、Ｃ２及びＣ３で試験した。
【００９１】
糞便評点が低いほど、組成物の拮抗はより高性能である。
【００９２】
図４ａ：糞便再構成物に対して３．４μｇ／ｌ（空気）（Ｃ１）で試験した組成物。
図４ｂ：糞便再構成物に対して１．１μｇ／ｌ（空気）（Ｃ２）で試験した組成物。
図４ｃ：糞便再構成物に対して０．３３μｇ／ｌ（空気）（Ｃ３）で試験した組成物。
【００９３】
３つのグラフ上の点線は、Ｃ１濃度でフローラルＲＤ、シトラスＨ又はジャスミンＥを単独で（糞便再構成物と組み合わせずに）評価した場合の３つの属性についての評点を示す。３つのグラフは、糞便評点について予想される最小値と、新鮮度及び心地よさについての最大評点を示す。
【００９４】
Ｃ１濃度で単独で評価したフローラルＲＤ、シトラスＨ又はジャスミンＥについての糞便評点は、Ｃ１濃度でも試験し、かつ糞便再構成物と組み合わせたこれらの組成物の糞便評点と統計的に異ならない（Ｓｔｕｄｅｎｔ’ｓ ｔｅｓｔによる検証、信頼度９９％）。
−  アンタゴニスト系を添加する場合にフローラル及びシトラス組成物の性能は改善する。フローラルＥ〜フローラルＲＤは、糞便の悪臭の知覚が大いに減少する。同様の観察を、シトラスＢに対してシトラスＨの向上した性能を有するシトラス組成物についても実施することができる。
−  繰り返しは、アンタゴニスト系においてより多くの成分を段階的に含む。
−  ジャスミン組成物も、アンタゴニスト系を含むことへの利益を証明する。
−  フローラルＲＤ、シトラスＨ及びジャスミンＥは、糞便の悪臭の知覚を排除する。
【００９５】
実施例６
【表１０】
2020500589.tif 000017
【００９６】
【表１１】
2020500589.tif 000018
【００９７】
【表１２】
2020500589.tif 000019
【００９８】
実施例７
本開示に従ったフレグランス組成物を含むセルロース系エアフレッシュナーの仮設トイレの悪臭低減効果試験
本実施例において使用したエアフレッシュナー装置はセルロース型エアフレッシュナーであった。これらのエアフレッシュナーは、特定の量のフレグランスを染み込ませた吸収材料から構成される。そしてこの材料を容器に置き、フレグランス組成物の送達を制御する。本実施例について、アルミニウム缶に配置された吸収材料としてセルロースパッドを使用する。
【００９９】
試験試料を、丸いアルミニウム缶（直径３インチ）に置いたセルロースパッド（２．５インチ2）上に３グラムのフレグランス組成物を適用することによって調製した。この試験のために使用したフレグランス組成物は、「フローラルＶ」（実施例６）、「シトラスＢ２」（実施例６）及び「ジャスミンＥ」（実施例６）の２つの試料であった。
【０１００】
仮設トイレの合成悪臭配合物を以下のように調製した：
【数１】
2020500589.tif 000020
【０１０１】
７０質量％の仮設トイレ悪臭を詰めたバーミキュライトを、３５０ｇの仮設トイレ悪臭を１５０ｇのバーミキュライト（ファイングレード、Ｓｐｅｃｉａｌｔｙ Ｖｅｒｍｉｃｕｌｉｔｅ Ｃｏｒｐ、Ｅｎｏｒｅｅ、ＳＣ）と混和することにより調製した。
【０１０２】
本開示に従ったフレグランス配合物を含むセルロース系エアフレッシュナーの有効性を、ＡＳＴＭ Ｅ １５９３−０６「Ｍｅｔｈｏｄ ｆｏｒ Ａｓｓｅｓｓｉｎｇ ｔｈｅ Ｅｆｆｉｃａｃｙ ｏｆ Ａｉｒ Ｃａｒｅ Ｐｒｏｄｕｃｔｓ ｉｎ Ｒｅｄｕｃｉｎｇ Ｓｅｎｓｏｒｉａｌｙ Ｐｅｒｃｅｉｖｅｄ Ｉｎｄｏｏｒ Ａｉｒ Ｍａｌｏｄｏｕｒ Ｉｎｔｅｎｓｉｔｙ」に記載された手法に従って評価した。ドア内ににおいを嗅ぐための窓がある６個の７２ｆｔ3の評価用キャビンを試料の感覚評価のために使用した。５つのキャビンは、９グラムの仮設トイレの悪臭を詰めたバーミキュライトを備えた直径３インチのアルミニウム缶を含み、１つのキャビンは９グラムのバーミキュライト（悪臭なし）を備えた直径３インチのアルミニウム缶を含んだ。
【０１０３】
悪臭のみを含む（試験製品は含まない）キャビンのうちの１つを、参照として同定し、他の５つのキャビンを、ランダムに生成した３桁のコードでラベル付けした。キャビンの設定は以下であった：
【数２】
2020500589.tif 000021
【０１０４】
キャビンを、２１人の訓練を受けていないが経験豊富な評価者によって評価した。「訓練を受けていないが経験豊富な評価者」に関しては、正式な嗅覚訓練を受けていないが、フレグランス評価に参加しており、においの属性を評価する経験がある個人を意味する。
【０１０５】
試験中のキャビンにおける環境条件は、１時間毎に５回換気して７２°Ｆ、３５％ＲＨであった。室内の空気を循環させるために、低く設定した携帯用卓上送風機をキャビンの床に配置した。悪臭に慣れるために、全ての評価者に、最初に基準キャビンのにおいを嗅ぐように指示した。次に、試験キャビンのにおいを嗅ぎ悪臭の強さを１〜７のカテゴリーの尺度で評価するように評価者に指示した。その際、１は知覚できる悪臭がないことを示し、７は非常に強い悪臭を示す。試験キャビンの提示は、ブラインドで、偏りなく、無作為に、そして連続して単一体で行った。評価者に、それぞれの試料を評価するためににおいを嗅ぐための窓を開け、次に進む前に６０秒間待つように指示した。
【０１０６】
データを、一元配置分散分析（ｏｎｅ−ｗａｙ ＡＮＯＶＡ）を使用し、続いて多重比較のためにＦｉｓｃｈｅｒの最小有意差（ＬＳＤ）法により分析した（α＝０．０５）。評価者の数（Ｎ）及びＬＳＤは以下であった：Ｎ＝２１、ＬＳＤ＝０．６０。キャビンの平均悪臭強度を図５に示す。
【０１０７】
シトラスＢ２のみのキャビン（悪臭なし）の知覚された悪臭強度は、全ての他のキャビンよりも著しく低い。本開示に従った悪臭組成物及びフレグランス組成物を含むキャビンの知覚された悪臭強度は、悪臭のみのキャビンの強度よりも著しく低く、したがって、本開示に従ったフレグランス組成物を含有するセルロース系エアフレッシュナーは、仮設トイレの悪臭の知覚の減少に有用である。
【０１０８】
実施例８
本開示に従ったフレグランス組成物を含むキャンドルの仮設トイレの悪臭低減効果試験
本実施例において使用したエアフレッシュナー装置はキャンドルであり、かかる装置は２つの方法でフレグランスを送達する。まず、キャンドルに導入されたフレグランスが、ロウを介してキャンドルの表面上に移動するにつれてゆっくりと蒸発する。第二の方法は、はるかに大きく、「溶融物プール」によるものである。溶融物プールは、キャンドルが点灯している間に生じ、炎がキャンドルの一部を溶かして上部にプールを形成する。温かい混合物は、より高い割合でフレグランスを送達する。
【０１０９】
この試験のために使用したフレグランス組成物は、「フローラルＲＤ」（実施例４）、「シトラスＨ」（実施例４）及び「ジャスミンＥ」（実施例６）の２つの試料であった。フレグランス付けしたキャンドルを、前述のフレグランス組成物と以下の表に示すキャンドル配合物とを混合することによって調製した。そして、ロウ混合物１００グラムを、高さ３インチの、直径３インチ及びロウで被覆したフェルト芯（ＣＤ＃６、高さ０．５インチに切り取ったもの）を有する円形ガラス容器に入れた。悪臭のみを含む試験試料について、フレグランスを有さないキャンドルを調製した（Ｃａｎｄｌｅ ｗａｘ ４６２５Ａ ＩＧＩ、８８％）。
【数３】
2020500589.tif 000022
【数４】
2020500589.tif 000023
【０１１０】
悪臭調製物及び試験方法は実施例６における概要と同一であった。キャビンを、１５人の訓練を受けていないが経験豊富な評価者によって評価した。データを、一元配置分散分析（ｏｎｅ−ｗａｙ ＡＮＯＶＡ）を使用し、続いて多重比較のためにＦｉｓｃｈｅｒの最小有意差（ＬＳＤ）法により分析した（α＝０．０５）。評価者の数（Ｎ）及びＬＳＤは以下であった：Ｎ＝１５、ＬＳＤ＝０．７０。キャビンの平均悪臭強度を図６に示す。
【０１１１】
ジャスミンＥのみのキャビン（悪臭なし）の知覚された悪臭強度は、全ての他のキャビンよりも著しく低い。本開示に従った悪臭組成物及びフレグランス組成物を含むキャビンの知覚された悪臭強度は、悪臭のみのキャビンの強度よりも著しく低く、したがって、本開示に従ったフレグランス組成物を含有するキャンドルは、仮設トイレの悪臭の知覚の減少に有用である。
【０１１２】
実施例９
本開示に従ったフレグランス組成物を含むエアロゾルエアフレッシュナーの仮設トイレの悪臭低減効果試験
本実施例において使用したエアフレッシュナー装置はエアロゾルであり、かかる装置は、加圧された水性フレグランス溶液により環境中にフレグランスを送達する。
【０１１３】
この試験のために使用したフレグランス組成物は、「フローラルＶ」（実施例６）、「シトラスＢ２」（実施例６）及び「ジャスミンＥ」（実施例６）の２つの試料であった。フレグランス付けしたエアロゾルを、フレグランス組成物と以下の表に示すエアロゾル配合物とを混合することによって調製した。
【数５】
2020500589.tif 000024
【０１１４】
悪臭調製物及び試験方法は実施例６における概要と同一であった。キャビンを、１９人の訓練を受けていないが経験豊富な評価者によって評価した。データを、一元配置分散分析（ｏｎｅ−ｗａｙ ＡＮＯＶＡ）を使用し、続いて多重比較のためにＦｉｓｃｈｅｒの最小有意差（ＬＳＤ）法により分析した（α＝０．０５）。評価者の数（Ｎ）及びＬＳＤは以下であった：Ｎ＝１９、ＬＳＤ＝０．７０。キャビンの平均悪臭強度を図７に示す。
【０１１５】
ジャスミンＥのみのキャビン（悪臭なし）の知覚された悪臭強度は、全ての他のキャビンよりも著しく低い。本開示に従った悪臭組成物及びフレグランス組成物を含むキャビンの知覚された悪臭強度は、悪臭のみのキャビンの強度よりも著しく低く、したがって、本開示に従ったフレグランス組成物を含有するエアロゾルエアフレッシュナーは、仮設トイレの悪臭の知覚の減少に有用である。
【０１１６】
実施例１０
本開示に従ったフレグランス組成物を含むサッシェ型エアフレッシュナーの仮設トイレの悪臭低減効果試験
本実施例において使用したエアフレッシュナー装置は、サッシェ型エアフレッシュナーであり、かかる装置は、紙、織布又は不織布材料から形成されている透過性の小袋中に含まれたフレグランスを染み込ませた粒状基材を利用する。
【０１１７】
この試験のために使用したフレグランス組成物は、「フローラルＶ」（実施例６）、「シトラスＢ２」（実施例６）及び「ジャスミンＥ」（実施例６）の２つの試料であった。フレグランス付けしたサッシェを、フレグランス組成物と、２０質量％の充填量で粉砕したトウモロコシの穂軸粒子（ＮａｔｕｒｅＺｏｒｂ（登録商標）−１００、供給源：Ａｐｒｏａ）とを混合することによって調製した。そして得られた混合物１２グラムを、２．５インチ×２．５インチの紙の小袋中に入れた。フレグランスを有さないトウモロコシの穂軸を含む試料を、悪臭のみのキャビン用に調製した。
【０１１８】
悪臭調製物及び試験方法は実施例８における概要と同一であった。キャビンを、２１人の訓練を受けていないが経験豊富な評価者によって評価した。データを、一元配置分散分析（ｏｎｅ−ｗａｙ ＡＮＯＶＡ）を使用し、続いて多重比較のためにＦｉｓｃｈｅｒの最小有意差（ＬＳＤ）法により分析した（α＝０．０５）。評価者の数（Ｎ）及びＬＳＤは以下であった：Ｎ＝２１、ＬＳＤ＝０．６２。キャビンの平均悪臭強度を図８に示す。
【０１１９】
ジャスミンＥのみのキャビン（悪臭なし）の知覚された悪臭強度は、悪臭のみのキャビン及びフローラルＶ＋悪臭のキャビンよりも著しく低い。ジャスミンＥ＋悪臭のキャビン及びシトラスＢ２＋悪臭のキャビンは、悪臭のないキャビンよりも悪臭強度が著しく高いと知覚されておらず、これら２つの組成物がどのように効果的に仮設トイレの悪臭の知覚を減少させているかを実証している。本開示に従った悪臭組成物及びフレグランス組成物を含むキャビンの知覚された悪臭強度は、悪臭のみのキャビンの強度よりも著しく低く、したがって、本開示に従ったフレグランス組成物を含有するサッシェ型１エアフレッシュナーは、仮設トイレの悪臭の知覚の減少に有用である。
【０１２０】
実施例１１
本開示に従ったフレグランス組成物を含む液体電気式エアフレッシュナーの仮設トイレの悪臭低減効果試験
本実施例において使用したエアフレッシュナー装置は、電気芯エアフレッシュナーであり、かかる装置は、加熱要素を利用してフレグランスと共にリザーバに挿入された芯からフレグランス組成物を送達する。
【０１２１】
この試験のために使用したフレグランス組成物は、「フローラルＲＤ」（実施例４）、「シトラスＨ」（実施例４）及び「ジャスミンＥ」（実施例６）の２つの試料であった。フレグランス組成物を、等しい質量部のＡｕｇｅｏ Ｃｌｅａｎ Ｍｕｌｔｉ（Ｓｏｌｖａｙ）と混合した。そして得られた混合物２０グラムを、芯（焼結プラスチック）を有するリザーバに入れた。使用した加熱ユニットを、７０℃まで芯を加熱するように設定した。
【０１２２】
悪臭調製物及び試験方法は実施例８における概要と同様であった。しかし、本実施例において、試験キャビンは、８１２ｆｔ3の容積で構成され、評価者はそれぞれのキャビンに入ることによりにおいを評価した。他の詳細は前記したとおりであった。キャビンを、２３人の訓練を受けていないが経験豊富な評価者によって評価した。データを、一元配置分散分析（ｏｎｅ−ｗａｙ ＡＮＯＶＡ）を使用し、続いて多重比較のためにＦｉｓｃｈｅｒの最小有意差（ＬＳＤ）法により分析した（α＝０．０５）。評価者の数（Ｎ）及びＬＳＤは以下であった：Ｎ＝２３、ＬＳＤ＝０．５６。キャビンの平均悪臭強度を図９に示す。
【０１２３】
ジャスミンＥのみのキャビン（悪臭なし）の知覚された悪臭強度は、悪臭のみのキャビン及びフローラルＲＤ＋悪臭のキャビンよりも著しく低い。ジャスミンＥ＋悪臭のキャビン及びシトラスＨ＋悪臭のキャビンは、悪臭のないキャビンよりも悪臭強度が著しく高いと知覚されておらず、これら２つの組成物がどのように効果的に仮設トイレの悪臭の知覚を減少させているかを実証している。本開示に従った悪臭組成物及びフレグランス組成物を含むキャビンの知覚された悪臭強度は、悪臭のみのキャビンの強度よりも著しく低く、したがって、本開示に従ったフレグランス組成物を含有する液体電気式エアフレッシュナーは、仮設トイレの悪臭の知覚の減少に有用である。
【０１２４】
実施例１２
本開示によって記載されるフレグランス組成物の悪臭低減を、漂白剤洗浄粉末中で測定した。
【０１２５】
漂白剤洗浄粉末は、噴霧乾燥させたフレグランスと合した漂白剤粉末である。この製品の標準的な使用法は、粉末を処理すべき領域に適用して水で溶解し、続いて全ての粒子をばらばらにするために擦り洗いし、そしてすすぐことである。
【０１２６】
フレグランス付けした漂白剤試料を、噴霧乾燥させた粉末（香料５０％（ｗ／ｗ）、オクテニルコハク酸加工デンプン５０％（ｗ／ｗ）から構成される）０．１５グラムを、Ｓｔａｂｌｅ Ｂｌｅａｃｈｉｎｇ Ｐｏｗｄｅｒ（Ｇｒａｄｅ Ｉ、Ｇｕｊａｒａｔ Ａｌｋａｌｉｅｓ ａｎｄ Ｃｈｅｍｉｃａｌｓ Ｌｉｍｉｔｅｄ、Ｇｕｊａｒａｔ、Ｉｎｄｉａ）９．８５グラムに添加することによって調製した。
【０１２７】
表１において詳述した悪臭組成物を、細かいバーミキュライト（Ｓｐｅｃｉａｌｔｙ Ｖｅｒｍｉｃｕｌｉｔｅ Ｃｏｒｐ、Ｅｎｏｒｅｅ、ＳＣ）上に７０質量％の充填量で適用した。そして、組成物９グラムを、丸いアルミニウム缶中で評価者に提示した。アルミニウム缶の直径は３インチ、高さは１インチである。フレグランスのみを有する試験試料については、未処理のバーミキュライトを含む缶を使用する。
【０１２８】
【表１３】
2020500589.tif 000025
【０１２９】
７０質量％の公衆トイレ悪臭を詰めたバーミキュライトを、３５０ｇの公衆トイレ悪臭を１５０ｇのバーミキュライト（ファイングレード、Ｓｐｅｃｉａｌｔｙ Ｖｅｒｍｉｃｕｌｉｔｅ Ｃｏｒｐ、Ｅｎｏｒｅｅ、ＳＣ）と混和することにより調製した。本開示に従ったフレグランス配合物を含むセルロース系エアフレッシュナーの有効性を、ＡＳＴＭ Ｅ １５９３−０６「Ｍｅｔｈｏｄ ｆｏｒ Ａｓｓｅｓｓｉｎｇ ｔｈｅ Ｅｆｆｉｃａｃｙ ｏｆ Ａｉｒ Ｃａｒｅ Ｐｒｏｄｕｃｔｓ ｉｎ Ｒｅｄｕｃｉｎｇ Ｓｅｎｓｏｒｉａｌｙ Ｐｅｒｃｅｉｖｅｄ Ｉｎｄｏｏｒ Ａｉｒ Ｍａｌｏｄｏｕｒ Ｉｎｔｅｎｓｉｔｙ」に記載された手法に従って評価した。悪臭の缶のみを含む「参照」とラベル付けしたブースを、悪臭に慣れるために最初に評価者に提示した。そして、１〜７の尺度（１は無臭、４は中程度のにおい、及び７は非常に強い悪臭を示す）を使用して、評価者は指定された順序でそれぞれの試料を評価し、悪臭強度及び合計におい強度を評価した。
【０１３０】
試料を、１９人の訓練を受けていない評価者により評価した。「訓練を受けていない」に関しては、正式な嗅覚訓練を受けていないが、フレグランス評価に参加しており、においの属性を評価する経験があるエアフレッシュナーの使用者を意味する。
【０１３１】
６０ｆｔ3の評価室を使用して、キャビンの床を水で濡らし、試料が溶解するまで試料を床の上にこすった。そして悪臭を付与した。試験中の環境条件は、１時間毎に５回換気して７２°Ｆ、４０％ＲＨであった。室内の空気を循環させるために、低く設定した携帯用卓上送風機をキャビンの床に配置する。ブースを、ランダムに生成した３桁のコードでラベル付けした。試料提示は、ブラインドで、偏りなく、無作為に、そして連続して単一体で行った。活性化から５分後に、評価者に、それぞれの試料を評価するためににおいを嗅ぐための窓を開け、６０秒間待ってから室内で知覚されるにおいに関する一連の質問に答えるように指示した。評価者に、悪臭強度及び合計のにおい強度を評価するように依頼した。
【０１３２】
分散分析（ＡＮＯＶＡ）を使用してデータを分析し、そして２つの平均間の差を最小有意差（α＝０．０５）を使用して決定した。キャビンの平均の悪臭強度を以下に示す。平均間の最小有意差は０．６１であった。
【０１３３】
結果を図１０において示す。
【０１３４】
フローラルＲＤ＋漂白剤のみのキャビン（悪臭なし）の知覚された悪臭強度は、悪臭のみのキャビンよりも著しく低い。フローラルＲＤ＋漂白剤のキャビンは、悪臭のないキャビンよりも悪臭強度が著しく高いと知覚されておらず、この組成物がどのように効果的に仮設トイレの悪臭の知覚を減少させているかを実証している。本開示に従った悪臭組成物及びフローラルＲＤ組成物を含むキャビンの知覚された悪臭強度は、悪臭のみのキャビンの強度よりも著しく低く、したがって、本開示に従ったフレグランス組成物を含有する漂白剤洗浄粉末は、仮設トイレの悪臭の知覚の減少に有用である。
【０１３５】
実施例１３
モデル仮設トイレにおける本開示に従ったフレグランス組成物の仮設トイレの悪臭低減効果試験
本実施例において、本開示に従った組成物の性能を評価するために、モデル仮設トイレを構築した。モデル仮設トイレに、トイレの悪臭のヘッドスペースを正確かつ確実に再構成することができる、硫化水素、メチルメルカプタン、酪酸、パラクレゾール、及びインドールを注入するにおい発生装置を備え付けた。モデル仮設トイレにおける悪臭濃度は、アフリカ及びインドのトイレにおいて実施した定量的ヘッドスペース分析と一致した。トイレの悪臭のヘッドスペース性能を、化学分析及び感覚分析により検証した。嗅覚刺激を、においの知覚に対する気候の影響を評価するために、異なる気候で参加者に提示した。感覚データは、温度及び湿度の上昇は悪臭の強度評価を低下させたが、それらの品質は低下させなかったことを示した。香料配合物を、ヘッドスペース濃度を制御するための強制蒸発によって、又は送達系、例えばセルロースパッド、液体、及び粉末によって、これらのモデル仮設トイレで送達することができる。本発明者らの実験設定は、トイレ悪臭の低減及び心地よさの増加における香料配合物の性能を評価するための用量反応曲線を提供した。
【０１３６】
材料及び方法
化学物質
トリエチルアミン、Ｎ−エチルマレイミド（ＮＥＭ）、及びメチルオクタノエートの化合物を、Ｓｉｇｍａ−Ａｌｄｒｉｃｈ（Ｂｕｃｈｓ、Ｓｗｉｔｚｅｒｌａｎｄ）から購入し、酪酸、ｐ−クレゾール、インドール、及びＬ−システインは自社製品であった。ジエチルエーテル、メタノール、酢酸エチル、及びアセトンの溶媒を、Ｃａｒｌｏ Ｅｒｂａ（Ｖａｌ ｄｅ Ｒｅｕｉｌ、Ｆｒａｎｃｅ）から購入した。メチルメルカプタン及び硫化水素について、Ｃａｒｂａｇａｓ（Ｃａｒｏｕｇｅ、Ｓｗｉｔｚｅｒｌａｎｄ）から購入した加圧シリンダー中で、１５ｐｐｍ（ｖ／ｖ）の窒素混合物を使用した。Ｏａｓｉｓ ＨＬＢ １−ｇカートリッジを、Ｗａｔｅｒｓ（Ｍｏｎｔｒｅｕｘ−Ｃｈａｉｌｌｙ、Ｓｗｉｔｚｅｒｌａｎｄ）から購入した。本実施例において使用した香料配合物を以下に記載する。
【０１３７】
【表１４】
2020500589.tif 000026
【０１３８】
モデル仮設トイレ
８ｍｍの透明ポリエチレンテレフタレート製の３つの１．７ｍ3のモデル仮設トイレ（１．９５ｍ×０．９８５ｍ×０．８９ｍ）を人工気象室に入れ、それぞれの仮設トイレに２９ｃｍ×３９ｃｍの回転ドアを備え付けてにおいを評価した（図１１）。人工気象室からの空気は、後壁の４５ｃｍの高さに配置されたにおい発生装置を介してそれぞれの仮設トイレに入った（におい発生装置を以下に詳細に説明する）。空気を、それぞれの仮設トイレの屋根から、１００ｍｍのアルミニウム製排気管を介して、両面８２ｃｍ×９１ｃｍの層状フィルター（厚手の綿織物）を通して吸い込んだ（図１１）。３本の排気管を、主管の１００ｍｍステンレス鋼管を介して調整可能な送風機に連結した。それぞれの仮設トイレの気流は、排気管に配置されたダンパー（ＳＰＩ １６０、Ｓｙｓｔｅｍａｉｒ、Ｓｋｉｎｎｓｋａｔｔｅｂｅｒｇ、Ｓｗｅｄｅｎ）を使用して個別に調整できる（図１１）。主な排気流を制御するために熱線風速計を主管排気管内に配置した。適宜送風機によって生じる吸引力を変化させることにより空気流を調整することができる。主管排気管内の風速を、それぞれの仮設トイレにおいて１７ｍ3／ｈの空気流に維持した。この気流及び得られる１時間あたりの空気交換（およそ１０）は、換気された改良型ピット型仮設トイレにおける測定の範囲内である。
【０１３９】
におい発生装置
液体を蒸発させるために、公的に入手可能なオルファクトメーターの下部の容器を変更した。１５０Ｌ／ｈの窒素流で５００ｍｌの丸底フラスコをフラッシュし、そこに１ｍｌのポリプロピレン製シリンジに連結したポリテトラフルオロエチレン（ＰＴＦＥ）キャピラリーを介して液体を導入した（図１１）。液体の流速を、シリンジポンプにより送達し、０．０４ｍｌ／ｈ〜１０ｍｌ／ｈの範囲であった。フラスコをガラスハットで覆い、加熱プレート上に取り付けられたステンレス鋼ヒートオンブロックで１６０℃まで加熱した（図１１）。フラスコの出口（内径２ｍｍ）を、仮設トイレの後壁を横切る直径１０９ｍｍの長さ１５ｃｍのステンレス鋼管に配置した。この管を、仮設トイレ内の熱風を吸い込まないために、後壁に配置された直径１２７ｍｍのアルミニウム製排気管（長さ８０ｃｍ）に接続した（図１１）。におい分子が豊富な窒素を、仮設トイレに入った空気と混ぜた。強制蒸発放出システムに加えて、２つのステンレス鋼管を、パイプの内側にはんだ付けして６ｍｍのＰＴＦＥ管を保持させ、加圧シリンダーからメタンチオール及び硫化水素を放出させた。ＰＴＦＥ管をパラフィルムで閉じ、ＰＴＦＥ管１本あたり２つの０．８ｍｍの開口部を針で突き刺した（図１１）。
【０１４０】
それぞれの仮設トイレの窒素流速を、３つのロータメーター（２５Ｌ／ｈ〜２５０Ｌ／ｈ；Ｋｒｏｈｎｅ、Ｄｕｉｓｂｕｒｇ、Ｇｅｒｍａｎｙ）で制御した。メタンチオール及び硫化水素の流量を、６つの質量流量計（３つのトイレ、２つのガス）（Ｒｅｄ−ｙ、Ｖｏｅｇｔｌｉｎ Ｉｎｓｔｒｕｍｅｎｔｓ ＡＧ、Ａｅｓｃｈ、Ｓｗｉｔｚｅｒｌａｎｄ）で独立して制御した。
【０１４１】
人工気象室
人工気象室の寸法は、３．４２ｍ×２．９５ｍ×２．５ｍであり、得られた体積は２５ｍ3であった。人工気象室の温度及び湿度を、５４０ｍ3／ｈの密閉サイクルで制御した。新鮮な空気が５１ｍ3／ｈの速度で人工気象室に入り、空気が同じ速度で人工気象室を出た。温度及び相対湿度（ＲＨ）の作業範囲は、それぞれ１２℃〜４５℃及び３０％ＲＨ〜９０％ＲＨであった。人工気象室に、温度及び湿度制御サイクルの入口及び出口に配置し温度プローブ及びＲＨプローブを取り付けた。実験中に人工気象室内の空気の温度及びＲＨを測定できる入り口のプローブからのデータを５分毎に記録した。さらに、人工気象室内の空気と仮設トイレ内の空気との温度及びＲＨにおける差が最小であることを確実になるようにＲＨ及び温度を正確に測定するために、仮設トイレ内にプローブ（Ｔｒａｃｅａｂｌｅ（登録商標）湿度計、ＶＷＲ Ｉｎｔｅｒｎａｔｉｏｎａｌ、Ｒａｄｎｏｒ、ＰＡ、ＵＳＡ）を設置した。１．５℃未満の温度差及び５％未満のＲＨ差を維持した。
【０１４２】
参加者
参加者はＦｉｒｍｅｎｉｃｈ ＳＡ（Ｇｅｎｅｖａ、Ｓｗｉｔｚｅｒｌａｎｄ）の研究センターの従業員であった。１０回のセッションを計画し、それぞれのセッションについての参加者数は以下の通りであった：２６、２４、２６、２７、２６、３０、２５、２７、２５、２３。参加者は研究に参加する前に同意書に署名した。同意書及び実験プロトコルは、ヒトを対象とした医学的研究についてのヘルシンキ宣言に同意してＦｉｒｍｅｎｉｃｈの内部審査委員会により承認された。
【０１４３】
刺激
参加者を、４つの異なる人工気象室における仮設トイレにおいて送達された６種のにおい物質混合物に触れさせた。におい物質混合物は、Ｍｕｋｕｒｕ（Ｎａｉｒｏｂｉ）ＵＤＴの悪臭のみ、香料（フローラルＤ）のみ、及び悪臭と香料の混合物であり、４つの異なる濃度（０．１８μｇ／Ｌ、０．５４μｇ／Ｌ、１．６２μｇ／Ｌ、４．９μｇ／Ｌ）で放出させた。
【０１４４】
悪臭をＭｕｋｕｒｕトイレから再構成させた。それというのも、それは全ての有意な分子を含んでおり、手入れの行き届いたトイレから生じたからである。Ｍｕｋｕｒｕ悪臭源を、硫化水素、メタンチオール、酪酸、ｐ−クレゾール及びインドールから構成し、その気相濃度は、それぞれ０．２６μｇ／ｌ、０．０１８μｇ／ｌ、０．００４μｇ／ｌ、０．００２７μｇ／ｌ及び０．０００１８μｇ／ｌであった。硫化水素及びメタンチオールを、それぞれ２０．８ｌ／ｈ及び９．８ｌ／ｈで加圧シリンダーから放出した。残った悪臭生成物を、それぞれ０．７７５ｍｇ／ｍｌ、０．５２６ｍｇ／ｍｌ及び０．０３５ｍｇ／ｍｌの酪酸、ｐ−クレゾール及びインドールを含有するプロピレングリコール溶液を蒸発させることにより仮設トイレ中に放出させた。香料配合物を、強制蒸発室において純粋な形で放出し、４．９μｇ／ｌの気相濃度をもたらした。香料のより低い気相濃度を、プロピレングリコールで香料を希釈することにより得た。０．１８μｇ／ｌ、０．５４μｇ／ｌ及び１．６２μｇ／ｌの気相濃度を、それぞれ３．６２％、１１．１３％及び３３．３１％（ｗ／ｗ）のプロピレングリコール溶液で得た。悪臭及び香料を同じ仮設トイレ中で放出するために、２つのＰＴＦＥキャピラリーを介した２つのシリンジを同じ強制蒸発室に接続した。一方のシリンジは悪臭溶液を含み、他方のシリンジは純粋な形で又はプロピレングリコールで希釈して香料配合物を含んでいた。双方のシリンジを同じシリンジポンプに取り付け、それらのピストンを０．０８８ｍｍ／ｈで押し、０．０８８ｍｌ／ｈの放出速度をもたらした。悪臭又は香料を単独で提示した場合に、純粋なプロピレングリコールを、第二のシリンジで強制蒸発室に注入した。それぞれのにおいを、４つの気候で提示した：３０％ＲＨで２２℃、８０％ＲＨで２２℃、３０％ＲＨで３５℃、及び８０％ＲＨで３５℃。
【０１４５】
感覚プロトコル
参加者を、無作為に異なる気候でにおい刺激に触れさせた。利用可能な仮設トイレは３つのみであったため、６つのにおいを、それぞれ悪臭のみ又は香料のみ、悪臭プラス低量の香料、及び悪臭プラス高量の香料を含む２つのグループに分けた。最初及び最後のセッションを、パネルの信頼性を評価するための対照として使用し、悪臭のみ、香料のみ、及び双方の混合物から構成した。参加者は、人工気象室に入り、そしてソフトウェアＦＩＺＺ（Ｂｉｏｓｙｓｔｅｍｓ、Ｃｏｕｒｔｅｎｏｎ、Ｆｒａｎｃｅ）で作成された紙の調査用紙に回答することにより、３つの仮設トイレのにおいを直接評価した。参加者は、気候に３分間順応した後にそれぞれの仮設トイレのにおいを再評価した。参加者に、０〜１０の等分目盛で、「嫌い（I don’t like）」から「好き（I like）」までの心地よさ、「馴染みのない（not familiar）」から「非常に馴染みのある（very familiar）」までの馴染みやすさ、「無臭（no odour）」から「非常に強い（very strong）」の強度、「糞便／トイレではない（not fecal/toilet）」から「非常に糞便／トイレである（very fecal/toilet）」への糞便／トイレの特徴、及び「全くない（not at all）」から「非常に進んで（very willingly）」への仮設トイレへの入室を希望したかどうか、を評価するように求めた。
【０１４６】
ヘッドスペース分析
Ｍｕｋｕｒｕ悪臭を、前記したようにモデル仮設トイレ中で放出した。気候を５０％ＲＨで２５℃に設定した。空気中に放出させた化合物を、脱イオン水２０ｍｌ、メタノール２０ｍｌ、アセトン２０ｍｌ、及びジエチルエーテル２０ｍｌで調整したＯａｓｉｓカートリッジで集め、炉中５０℃で１時間乾燥させた。硫化水素及びメチルメルカプタンを、ＮＥＭ２５ｍｇ及びトリエチルアミン１００μｌを含有するジエチルエーテル２ｍｌを充填したＯａｓｉｓカートリッジ中でＮＥＭで誘導体化し、５０℃で１時間乾燥させた。空気を、シリコンチューブに接続したＧｉｌＡｉｒ Ｐｌｕｓポンプを使用することにより、カートリッジを通して１ｌ／分でポンプ注入した。試料の容量は１００ｌであった。３つのカートリッジを使用して１つの仮設トイレの空気をサンプリングした。１つ目のカートリッジを、モデル仮設トイレの中央に、２つ目を評価ドアから２３ｃｍ、及び３つ目を仮設トイレの右上（地面から１７１ｃｍ）の深さに配置した。カートリッジを、酢酸エチル中で１０ｎｇ／μｌメチルオクタノエート（内部標準［ＩＳ］）溶液１００μｌに添加したジエチルエーテル１０ｍｌで取り除いた。過剰なＮＥＭを取り除くために、溶出液を、０．１Ｍリン酸カルシウムでｐＨ８で干渉させた水中で１０ｍｇ／ｍｌのＬ−システイン溶液３ｍｌで洗浄した。その水相を取り出し、有機層を硫酸ナトリウムで乾燥させた。水相を、水中で３７％ＨＣｌ溶液１００μｌで酸性化し、酪酸を、ＩＳ１００μｌに添加したジエチルエーテル４ｍｌで抽出した。ＧＣ−ＭＳに注入する前に、双方の有機層を、アルゴン流下で１ｍｌに徐々に濃縮した。分析を、以下に記載したようにＧＣ−ＭＳに溶出液１μｌを注入することにより実施した。
【０１４７】
オルファクトメーターを使用したヘッドスペース分析較正
オルファクトメーターを使用して、ヘッドスペースを、公知の濃度の酪酸、インドール、ｐ−クレゾール、メチルメルカプタン及び硫酸で作成し、分析方法を較正した。簡単に、公知の量の化合物を有する空気を、オルファクトメーターの出口で誘導体化剤ＮＥＭ（上記のもの）を装填したＯａｓｉｓカートリッジでサンプリングした。メチルメルカプタン及び硫化水素を、窒素中で１５ｐｐｍの双方の硫黄化合物の混合物を含有する加圧シリンダーからオルファクトメーターに放出した。双方の硫黄化合物の流れをロータメーター（ＶｏｅｇｔｌｉｎＴＶ １００）で制御した。酪酸、インドール及びｐ−クレゾールを、０．１０１ｍｌ／ｈを供給するシリンジポンプに取り付けられた１ｍｌポリプロピレンシリンジからプロピレングリコール溶液を蒸発させることによって放出させた。溶液を下部容器に導入し、下部容器を油浴を使用して１５０℃に加熱した。窒素を下部容器に６０ｌ／ｈで導入して蒸発した生成物を集め、そして上部容器の空気流と混合した。空気流を５４０ｌ／ｈに設定し、蒸留水で満たしたウォータージャケット付き洗浄ボトル中で泡立たせることによって加湿した。オルファクトメーターの上部容器は、ウォータージャケット付きであり、その温度を、水浴で２９℃に維持した。オルファクトメーターの出口で、温度は３０℃でありかつＲＨは４０％であった。オルファクトメーター中のメチルメルカプタン及び硫化水素化合物の得られた濃度は、０．１μｇ／ｌ、０．０５μｇ／ｌ、０．０２５０μｇ／ｌ及び０．０１２５μｇ／ｌであった。酪酸、ｐ−クレゾール及びインドールの得られた濃度は、０．０００１μｇ／ｌ、０．００１μｇ／ｌ、０．０１μｇ／ｌ、０．１μｇ／ｌであった。
【０１４８】
ガスクロマトグラフィ−質量分析（ＧＣ−ＭＳ）
ＧＣ ６８９０ Ｎ（Ａｇｉｌｅｎｔ、Ｐａｌｏ Ａｌｔｏ、ＣＡ、ＵＳＡ）を使用して化合物を同定した。融解石英ＳＰＢ−１キャピラリーカラム（内径３０ｍ×０．２５ｍｍ、膜厚０．２５μｍ、Ｓｕｐｅｌｃｏ、Ｂｅｌｌｅｆｏｎｔｅ、ＰＡ、ＵＳＡ）をＧＣに取り付けた。キャリヤーガスは、Ｈｅ（５２ｋＰａ）であり、注入温度を２５０℃に設定した。注入を、Ｃｏｍｂｉ−Ｐａｌ ａｕｔｏｓａｍｐｌｅｒ（Ｚｗｉｎｇｅｎ、Ｓｗｉｔｚｅｒｌａｎｄ）で実施した。酪酸、ｐ−クレゾール、インドール、並びにメチルメルカプタン及び硫化水素のＮＥＭ誘導体を分析するために、初期の炉温度を、５０℃で５分間保持し、そして５℃／分で２５０℃までスプリットモード１／５で上昇させた。ＧＣを、Ａｇｉｌｅｎｔ社製のＭＳ ５９７５Ｂ Ｉｎｅｒｔ ＸＬ ＭＳＰに連結させた。電子衝撃モードでの質量スペクトルを、ＳＩＭモードで７０ｅＶで測定した。観察したイオンは、酪酸（６０）、ｐ−クレゾール（１０７）、インドール（１１７）、ＮＥＭ−Ｓ−ＣＨ3（１２７）、及びＮＥＭ−Ｓ−ＮＥＭ（１２７）であった。
【０１４９】
データ分析
調査用紙をスキャンし、データをＦＩＺＺに保存し、Ｒ（https://cran.r-project.org）で分析した。応答変数−心地よさ、仮設トイレに入ること、強度、馴染みやすさ、及び糞便の特徴−を、分散分析（ＡＮＯＶＡ）を使用することにより分析し、有意な効果を、ノンパラメトリックなＫｒｕｓｋａｌ−Ｗａｌｌｉｓ試験で確認した。ペアワイズ比較試験を、Ｔｕｋｅｙ正味差試験（ＲにおけるＴｕｋｅｙ ＨＳＤ関数）で行った。異なるにおい処理の心地よさとトイレに入る意欲との関係を線形モデルで調べた。さらに、におい処理からの心地よさの評価及び気候からの心地よさの評価を線形モデルで分析した。有意水準をＰ＜０．０５に設定した。モデル仮設トイレの気相中の悪臭化合物の濃度を決定するために、検量線を、オルファクトメーター中の気相濃度の関数としての揮発性物質のピーク面積とＩＳの比に関する線形モデルを使用することによって確立した。これらの検量線とＲ（ｃｈｅｍＣａｌパッケージ）における逆予測関数を使用して、モデル仮設トイレ内の気相濃度を、揮発性物質のピーク面積とＩＳの比から予測した。
【０１５０】
結果
１．７ｍ3の３つのトイレモデルを、２５ｍ3の人工気象室に建設した。それぞれのトイレを１時間に１０回換気した。トイレ内に、液体及び粉末の湿量の増減を監視するために秤を設置し、液体や粉体を受けるための硬表面を設置した。被験者が人工気象室に入った場合に、被験者を、実験のために設定した温度及び湿度に触れさせ、したがって、本研究のために、被験者に、最初に人工気象室に入った直後ににおいを評価し、そして気候への適応の数分後に二回目の評価を求めた。適応は、においを評価するために使用した基準に有意な影響を及ぼさなかった。そして、適応あり及び適応なしのデータを平均した。
【０１５１】
典型的なＭｕｋｕｒｕの糞便の悪臭を、ガスをスプレーし、窒素でフラッシュされた高温容器内で液体を気化させることによって、メタンチオール、硫化水素、酪酸、ｐ−クレゾール及びインドールの制御された放出により作成した（図１１）。ヘッドスペースを、トイレの異なる三箇所で、及び３つのトイレで分析した。予想濃度と比較した定量の結果を図１２に示す。メタンチオール、硫化水素、酪酸、ｐ−クレゾール及びインドールの目標濃度を、それぞれ期待値の１０１％、６６％、１３０％、９３％及び１３８％で達成した。標準偏差は、人工気象室間の再現可能なヘッドスペースに加えて人工気象室内の均一なヘッドスペースを示す比較的小さい間隔を示した。
【０１５２】
４つのディスクリプタを被験者に提案した：心地よさ、トイレに入る、糞便の特徴及び強度。最初と最後のセッションを繰り返した場合にパネルを使用して得られた結果が著しく異ならないため、パネルは信頼性があった（図１３）。
【０１５３】
気候は強度に著しい影響を及ぼしたが、心地よさ、馴染みやすさ、糞便の特徴、及びトイレに入る意欲の他の基準に著しい影響はなかった。温度の上昇は、においとは無関係に全体の強度（ＡＮＯＶＡ、Ｐ＜０．０００１；Ｋｒｕｓｋａｌ−Ｗａｌｌｉｓ、Ｐ＜０．００１）を著しく減少させた（図１４）。同様に、しかしより少ない程度ではあるが、湿度の増加は、図１４に示すように、強度を著しく減少させた（ＡＮＯＶＡ、Ｐ＜０．０５；Ｋｒｕｓｋａｌ−Ｗａｌｌｉｓ、Ｐ＜０．０５）。しかしながら、湿度及び温度の双方における増加は、全体の強度をさらに低下させるため有意に組み合わされなかった。温度の著しい影響は、主に、悪臭のみ、悪臭及び高濃度の香料の混合物、並びに香料のみで得られた平均における差異によるものであった。湿度の著しい影響は、主に、悪臭及び高濃度の香料の混合物、並びに香料のみによるものであった。ペアワイズ比較（Ｔｕｋｅｙ ｈｏｎｅｓｔ差）は有意差を示さなかったため、においは強度に著しい影響を及ぼさなかった（図１４）。
【０１５４】
次に、適切な対照を評価した。選択肢は、悪臭（青い棒（２）、図１５及び１６）又は香料（ピンクの棒（１）、図１５及び１６）であった。図１５において示すように、香料濃度が増加した場合に、糞便の特徴は著しく低下した。悪臭の糞便の特徴の割合としてのこの特徴における減少も図１５に示されている。しかしながら、悪臭及び香料の混合物を香料のみで提示した場合に、香料の効果は低下した（青い棒（２）、図１５）。対照的に、香料の効果は、混合物を悪臭のみで提示した場合により高かった（ピンクの棒（１）、図１５）。
【０１５５】
糞便の特徴の評価の方向とは対照的に、心地よさの評価は、香料濃度の増加の関数として著しく増加した（図１６）。処理群も心地よさに影響を与えたが、より低い香料濃度でのみであった（図１６）。
【０１５６】
心地よさの評価と比較して、仮説トイレに入る意欲の評価で同様の結果が得られた。意欲の評価は、香料濃度の増加に応じて著しく増加した。トイレに入る意欲は、心地よさと強く相関していた（図１７、線形モデル、勾配＝０．９７、Ｐ＜０．０００１；切片＝０．２７、Ｐ＜０．００１、調整済みＲ2＝０．７９８６）。この線形モデルは、横座標に対する心地よさと共に、入ることの評価の分散の約８０％を説明した。入ることの評価に対する処理群の効果は、心地よさの評価に対する効果よりもはるかに低かった。
【０１５７】
温度測定
人工気象室を、４つの気候条件に設定した：３０％ＲＨで２２℃、８０％ＲＨで２２℃、３０％ＲＨで３５℃、及び８０％ＲＨで３５℃。温度及びＲＨ条件は、温度制御システムを使用することにより達せられた（表１５）。人工気象室内及びモデル仮設トイレ内の温度及びＲＨは、それぞれ１．５℃未満及び５％未満であった（表１５）。
【０１５８】
【表１５】
2020500589.tif 000027
【０１５９】
実施例１４
受動的な送達系を使用した仮設トイレにおける本開示に従ったフレグランス組成物の仮設トイレの悪臭低減効果試験
特定の理論に限定されることを意図するものではないが、組成物の性能は、要因、例えば配合物中の化合物の揮発性、温度、空気流、境界層の深さ、化合物と受動的送達系の基質との相互作用、化合物間の相互作用、送達系におけるそれぞれの化合物の濃度、気候等によって影響されうる。かかる要因は、糞便悪臭の持続時間及び／又は知覚された減少の大きさ、及び／又は他の感覚効果の持続時間及び／又は変化の大きさ、例えば知覚される心地よさの増加に影響しうる。
【０１６０】
これをさらに探求するために、本実施例において、本発明のいくつかの態様による組成物の性能を仮設トイレで評価し、その際組成物を受動的送達系に導入した。モデル系を使用した最初の一連の実験において、次の２つの配合物を試験した：フローラルＶ（表１０に記載の通り）及びジャスミンＥ（表９に記載の通り）。１９〜３２人の評価者団を、１０日間にわたって試験組成物の性能を評価するために現場で訓練した。モデル仮設トイレのヘッドスペースも、サンプリングして分析し、仮設トイレ内の香料成分の気相濃度を決定した。
【０１６１】
パネリストを、３つのモデル仮設トイレのにおいにさらした。２つの仮設トイレのにおいを、前記実施例において記載したように、強制蒸発システムにより送達された悪臭Ｍｕｋｕｒｕの再構成物に加えて、セルロースパッドから放出させた香料ジャスミンＥ及びフローラルＶから構成した。３番目のモデル仮設トイレのにおいを、ブランクのセルロースパッドに加えて悪臭のみから構成した。セルロースパッドは、１０．８ｃｍ×７．３ｃｍ×０．１５ｃｍであり、６０％香油及び４０％ミリスチン酸イソプロピル（ＩＰＭ）の混合物２．２ｇを充填した。パッドを、それぞれの仮設トイレを備えた秤上に置いた。秤をコンピューターに接続し、５分毎にそれぞれパッドの質量の減少を監視した。パッドの導入時間は０であった。感覚分析及びヘッドスペース分析を、前記実施例において記載した方法に従って実施した。
【０１６２】
図１８（糞便の悪臭の知覚された強度及び報告した心地よさの評点を報告）に関して、フローラルＶ及びジャスミンＥの配合物の双方は、仮設トイレの悪臭の糞便の特徴を減少させ、かつ心地よさを増加させた。双方の配合物についての最も高い性能は、実験の開始時（０日目）に得られ、その際心地よさは最も高く、かつ糞便の特徴は最も低かった。
【０１６３】
配合物の性能は、２５℃で時間の関数として減少する傾向があり、かつ４０℃で明らかに減少した。フローラルＶについて、心地よさは、２５℃で１０日後、及び４０℃で４日後に、中立限界（５）を下回り、負の価（嫌い）に達した。実際に、心地よさと糞便の特徴との間の逆転を観察した。ジャスミンＥ配合物は、調査中に心地よさは正の価（好き）のままであり、かつ糞便の特徴の評価がフローラルＶ配合物で観察されたものよりも低かったため、双方の気候において良好な性能を実証した。フローラルＶ配合物とは異なり、ジャスミンＥ配合物についての逆転は観察されなかった。関連する評価は、経時的に非常に安定していたため、変動は悪臭とは関係がなかった。
【０１６４】
試験用仮設トイレのヘッドスペースの分析は、フローラルＶ配合物の全ての化合物及びジャスミンＥ配合物について選択された化合物についての気相濃度の変動を明らかにした。図１９は、双方の試験配合物によって共有されるアンタゴニスト分子の展開（すなわちヘッドスペース濃度）を示す。
【０１６５】
図１９に関して、ジヒドロリナロール濃度は、４０℃で４日目及び２５℃で５日目に、急速に減少して嗅覚検出閾値（ＯＤＴ）に達した。ジヒドロリナロールは酪酸受容体のアンタゴニストである。これらのデータは、ジヒドロリナロールの気相濃度がそのＯＤＴを下回る場合に、酪酸知覚の抑制は小さいか又はゼロであるべきであることを示唆している。
【０１６６】
バイオレットＡＴ及びイソラルディン７０Ｐは、ヘッドスペース濃度における同様の減少を示した。ここでは、それらの気相濃度は２５℃で安定していたが、一方で４０℃ではそれらはより高く始まり、より速く減少した。
【０１６７】
ＬＩＬＹＦＬＯＲＥ（登録商標）は実験期間を通して安定していたが、２５℃と比較して４０℃では高濃度であった。ここでは、これらのデータは、温度の上昇がＬＩＬＹＦＬＯＲＥ（登録商標）の放出を補助することを示唆している。ジヒドロリナロールを除く全てのアンタゴニスト化合物は、実験期間を通して空気中で知覚可能な量であった。
【０１６８】
【表１６】
2020500589.tif 000028
【０１６９】
以下の表１７に関して、４０℃でのフローラルＶ配合物の性能を例として使用して、０日で、配合物の性能が（糞便悪臭の減少と心地よさの知覚の増加の双方について）最大であった場合に、大部分の成分のヘッドスペース濃度は、少なくとも１つの悪臭標的に対して有効なアンタゴニスト濃度以上であった。２日目に、成分のヘッドスペース濃度は低下し、その際１つの成分のみが少なくとも１つの悪臭標的に対して有効なアンタゴニスト濃度以上であった。４つの成分は、少なくとも１つの悪臭標的に対して有効なアンタゴニスト濃度に近く、かつ７つの成分は、少なくとも１つの悪臭標的に対して有効なアンタゴニスト濃度より低かった。配合物の性能における対応する低下を観察した（図１８）。心地よさと糞便の特徴との逆転が観察され（図１８）、全ての成分のヘッドスペース濃度が、少なくとも１つの悪臭標的に対して有効なＭＯＣ濃度未満であった。
【０１７０】
【表１７】
2020500589.tif 000029
【０１７１】
ダーバン（南アフリカ共和国）、及びプーナ（インド）における仮設トイレを使用した他の研究において、以下の２つの配合物の性能を試験した：フローラルＶジャスミンＥ及びシトラス２５９３８９Ｂ（表８に記載）。配合物をセルロースパッドに導入した。評価者団を、３日間にわたって試験組成物の性能を評価するために現場で訓練した。仮設トイレのヘッドスペースも、サンプリングして分析し、仮設トイレ内の香料成分の気相濃度を決定した。
【０１７２】
においての評価を１１人の被験者により実施した。試験配合物をミリスチン酸イソプロピル（ＩＰＭ；６０％油、４０％ＩＰＭ）中で希釈し、そして４２％（ｗ／ｗ）乾燥基質で平坦なセルロースパッド（１０．８ｃｍ×７．３ｃｍ×０．１５ｃｍ）上に載せた。実施した場合に得られる香料の強度に従って、１つの仮設トイレにつき１〜２つのパッドを使用した。双方の国で配合物１つにつき３つの仮設トイレ（３つの複製）を使用した。ダーバンにおいて、ジャスミンＥ及びフローラルＶは、６つの私用及び個人用換気ピット型仮設トイレで実施され、シトラス２５９３８９Ｂ（表７に記載）を、公衆のアブリューションブロック（ablution block）の３つの換気改良ピット型仮設トイレで実施した。プーナにおいて、それぞれの試験配合物を、専用のアブリューションブロックの３つのトイレで実施した。
【０１７３】
被験者は、社内で開発され、以下のリンクでインターネット上で入手可能な我々の調査用紙で嗅覚刺激を評価した：http://www.pacchiani.ch/firmenich/ 。被験者に、等分目盛（０〜１００）で、「嫌い（I don’t like）」から「好き（I like）」までの心地よさ、「無臭（no odour）」から「非常に強い（very strong）」の強度、「糞便ではない（not fecal）」から「非常に糞便である（very fecal）」への糞便の特徴を評価するように求めた。被験者は、調査用紙の最後にコメントを追加することができた。
【０１７４】
仮設トイレのにおいをパッドの設置前後に評価した。基準線を確立するために午後に最初の評価を実施した。そしてパッドを装着し、設置１０〜３０分後に２回目の評価を実施した。設置後の翌日の朝に３回目と４回目の評価を実施した。評価のために、評価者に、１人ずつトイレに入るように求めた。トイレを通常のように使用した。
【０１７５】
ヘッドスペース分析：試験配合物の設置翌日に、試験配合物で処理した２つのトイレの空気をサンプリングした。仮設トイレの壁に吊したＯＡＳＩＳ ＨＬＢ １ｇカートリッジを通して空気を１Ｌ／分でポンプ注入した。１つ目のカートリッジを、地面の近くに０．１５〜０．３ｍの高さで配置し、２つ目のカートリッジを１．５〜１．７ｍの高さに配置した。ポンプ注入した合計量は８７Ｌ〜１００Ｌであった。分析及び定量を、標準的なプロトコルに従って得た。試験配合物が心地よさ及び糞便の特徴の評価を有意に変化させたかどうかを決定するために、試験配合物の設置前後の評価を比較する、それぞれのトイレのデータに対してＷｉｌｃｏｘサインランク試験を使用した。設置後に実施した評価から得たデータをプールした。パッドが盗まれた、移動された、又は取り出されたトイレからの評価のデータを破棄した。
【０１７６】
図２０及び２１に関して、セルロースパッドへの導入によるフローラルＶ、ジャスミンＥ、又はシトラス２５９３８９Ｂの使用は、試験に使用した大部分の仮設トイレにおいて心地よさの評価を著しく増加させた（図２０）。さらに、ほとんどの場合に、双方の配合物は、不快な基準線のにおいを有する仮設トイレでさえも、正の価に心地よさが増加した（図２０）。心地よさの増加は、糞便の特徴の著しい減少と関連しており（図２１）、糞便の悪臭分子のアンタゴニストを含有する配合物の悪臭抑制効果を示している。
【０１７７】
観察された糞便の悪臭は、試験した全ての仮設トイレにわたって一定ではなかった。例えば、プーナにおいて、糞便悪臭のレベルは、ダーバンにおいて試験した仮設トイレにおいて観察された糞便悪臭と比較して、非常に低くかつ仮設トイレのプールの中でより類似していた（図２１）。
【０１７８】
プーナにおいて、試験配合物を、約１０個の水洗トイレから構成される３つの公衆アブリューションブロックにおいて設置した。それらを良好に維持し、一日に数回掃除した。換気を、それぞれのトイレにおいて窓を開けることにより確実にした。対照的に、ダーバンにおける仮設トイレは、汚い個人用のピット型仮設トイレであり、維持が不十分であった。いくつかの仮設トイレについて、穴がいっぱいであり換気口がなかった。これは異なるトイレにおける悪臭レベルの変動を説明できる。例は、ジャスミンＥで処理した仮設トイレ番号２及びフローラルＶで処理した仮設トイレ番号１であり、これらの配合物は、時間内で安定しておらず平均的な心地よさほとんど増加させなかった（図２２）。さらに、悪臭は、双方の仮設トイレの不快なにおいの唯一の原因ではなかった：悪臭は、も尿及び鶏の排泄物でもあった。適切な換気システムを備えた仮設トイレにおいて悪臭が強い場合に、試験配合物は悪臭を減少し、この効果は時間内で安定していた（図２３）。図２４は、アフリカ及びインドにおける清潔で手入れの行き届いたトイレの結果を報告している。興味深いことに、悪臭が糞便の特徴及び強度に関して非常に強い場合に、試験配合物は、糞便の特徴だけでなく総強度も低下させ（図２３）、悪臭抑制の効果が悪臭を圧倒する芳香に関連していないことを示している。
【０１７９】
仮設トイレのヘッドスペースを分析は、α−イオノン、イソラルディン、ＬＩＬＹＦＬＯＲＥ（登録商標）、ジヒドロリナロールのＭＯＣ分子が、プーナ及びダーバンにおいてサンプリングされた空気中で著しい量で見出されたことを明らかにした。検出した気相濃度は、別々に決定されたそれらのそれぞれの嗅覚検出閾値（ＯＤＴ）、すなわちそれぞれ５．０８×１０-4μｇ／Ｌ、１．９２×１０-4μｇ／Ｌ、１．２８×１０-4μｇ／Ｌ、１．３７×１０-3μｇ／Ｌを超えた（図２５）。驚くべきことに、ダーバンにおけるトイレ番号３を除いて、全てのトイレにおいて高低で同様の濃度を観察した（図２５）。
【０１８０】
ヘッドスペース分析は、気流制御の欠如にもかかわらずある程度の均一性を示す。トイレ番号３の例外は、サンプリング中に高さの高いカートリッジがパッドから離れすぎていた事実により説明されうる。さらに、気相濃度は双方の国で同様であった。しかしながら、プーナではトイレ１個あたり２個のパッドが使用されており、換気率はダーバンよりもプーナの方が高いことが示唆されている。
【０１８１】
分析は、現場で得られた化合物濃度の分布が、同一温度でモデル仮設トイレにおいて見出された分布と同一であることも明らかであった（図２６）。気温は、ダーバン、プーナ、及びモデル仮設トイレにおいてそれぞれ２８℃、２５℃、及び２５℃であった。気相濃度は、ダーバン及びインドの仮設トイレにおいて観察した濃度よりもモデル仮設トイレの方が約２倍高く、実際の仮設トイレにおける換気率がモデル仮設トイレよりも高いことを示唆していた。
【０１８２】
まとめると、これらのデータは、モデル仮設トイレと屋外仮設トイレとの相関関係を示しており、制御された条件下で実験を実施するためのモデル仮設トイレの使用のさらなるステップを確認している。さらに、ジャスミンＥ配合物は、２５℃及び４０℃でトイレの悪臭再構成物を抑制することにおいて、フローラルＶ配合物よりも長く機能するように思われた。ヘッドスペース分析は、それらの配合物中でそれらの存在を疑うＭＯＣ化合物の気相濃度が、双方の香料を比較して類似しており、かつトップノート化合物が、悪臭の抑制に関与していないことを明らかにした。
【０１８３】
糞便の悪臭のアンタゴニストを含有する配合物（ジャスミンＥ、フローラルＶ、シトラス２５９３８９Ｂ）は、異なる困難な環境下で糞便の特徴を低下させることによりトイレのにおいの心地よさを増大した。しかしながら、換気がなく、穴が多い汚れたトイレ、つまりこの研究において対象とされていない環境では、性能の限界に達した。さらに、ＭＯＣは、過酷な環境下でさえも著しい量であり、糞便の特徴の抑制効果が、悪臭を圧倒する香料によるものではなかった。
【０１８４】
実施例１５
本発明のいくつかの態様による特定の悪臭受容体アンタゴニストの相乗効果
糞便の悪臭の再構成物から知覚された糞便の悪臭を中和するためのＬＩＬＹＦＬＯＲＥ（登録商標）、バイオレットＡＴ及びイソラルディンを含有する試験配合物の性能を試験した。試験配合物中のそれぞれの単一成分の量は、フローラル組成物中に導入された成分の対応する濃度と同一であった。試験配合物中のそれぞれの単一成分と同一濃度で、ＬＩＬＹＦＬＯＲＥ（登録商標）、バイオレットＡＴ及びイソラルディンをぞれぞれ含む別々の対照配合物も含まれた。感覚評価はブラインドであり、オルファクトメーター及びブラインドで評価する３０人以上の評価者団により実施した。並行して、試験及び３つの対照配合物からの成分のヘッドスペース濃度を決定した。結果を以下の表１８及び図２７に示す。
【０１８５】
【表１８】
2020500589.tif 000030
【０１８６】
まとめると、これらのデータは、ＬＩＬＹＦＬＯＲＥ（登録商標）、バイオレットＡＴ及びイソラルディンの混合物を含む試験配合物が、混合物内で同一の濃度で試験した単一成分を含む対照配合物と比較して、糞便の評点、及びしたがって糞便の悪臭の知覚を低下させ、さらに心地よさ及び新鮮度の評点を向上させる点で優れていたことを証明する。
【０１８７】
糞便の悪臭の再構成物から知覚された糞便の悪臭を中和するためのＬＩＬＹＦＬＯＲＥ（登録商標）、バイオレットＡＴ及びジヒドロリナロールを含有する他の試験配合物の性能を試験した。試験配合物中のそれぞれの単一成分と同一濃度で、ＬＩＬＹＦＬＯＲＥ（登録商標）、バイオレットＡＴ及びジヒドロリナロールをぞれぞれ含む別々の対照配合物も含まれた。感覚評価はブラインドであり、オルファクトメーター及びブラインドで評価する３０人以上の評価者団により実施した。並行して、試験及び３つの対照配合物からの成分のヘッドスペース濃度を決定した。結果を以下の表１９及び図２８に示す。
【０１８８】
【表１９】
2020500589.tif 000031
【０１８９】
まとめると、これらのデータは、ＬＩＬＹＦＬＯＲＥ（登録商標）、バイオレットＡＴ及びジヒドロリナロールの混合物を含む試験配合物が、混合物内で同一の濃度で試験した単一成分を含む対照配合物と比較して、糞便の評点、及びしたがって糞便の悪臭の知覚を低下させ、さらに心地よさ及び新鮮度の評点を向上させる点で優れていたことを証明する。
【０１９０】
糞便の悪臭の再構成物から知覚された糞便の悪臭を中和するためのＬＩＬＹＦＬＯＲＥ（登録商標）、イソラルディン、バイオレットＡＴ及びジヒドロリナロールを含有する他の試験配合物の性能を試験した。試験配合物中のそれぞれの単一成分と同一濃度で、ＬＩＬＹＦＬＯＲＥ（登録商標）、バイオレットＡＴ、イソラルディン及びジヒドロリナロールをぞれぞれ含む別々の対照配合物も含まれた。感覚評価はブラインドであり、オルファクトメーター及びブラインドで評価する３０人以上の評価者団により実施した。並行して、試験及び３つの対照配合物からの成分のヘッドスペース濃度を決定した。結果を以下の表２０及び図２９に示す。
【０１９１】
【表２０】
2020500589.tif 000032
【０１９２】
まとめると、これらのデータは、ＬＩＬＹＦＬＯＲＥ（登録商標）、バイオレットＡＴ、イソラルディン及びジヒドロリナロールの混合物を含む試験配合物が、混合物内で同一の濃度で試験した単一成分を含む対照配合物と比較して、糞便の評点、及びしたがって糞便の悪臭の知覚を低下させ、さらに心地よさ及び新鮮度の評点を向上させる点で優れていたことを証明する。
【０１９３】
本明細書を通して引用された刊行物は、その全体を参照をもって本明細書に組み込まれたものとする。本発明の種々の態様は、実施例及び好ましい態様を参照することにより前記で例示されているが、本発明の範囲は上記の説明によってではなく特許法の原理の下で適切に解釈される特許請求の範囲により評価される。
【図１ａ】
2020500589.tif 000033
【図１ｂ】
2020500589.tif 000034
【図１ｃ】
2020500589.tif 000035
【図１ｄ】
2020500589.tif 000036
【図２】
2020500589.tif 000037
【図３】
2020500589.tif 000038
【図４−１】
2020500589.tif 000039
【図４−２】
2020500589.tif 000040
【図４−３】
2020500589.tif 000041
【図５】
2020500589.tif 000042
【図６】
2020500589.tif 000043
【図７】
2020500589.tif 000044
【図８】
2020500589.tif 000045
【図９】
2020500589.tif 000046
【図１０】
2020500589.tif 000047
【図１１】
2020500589.tif 000048
【図１２】
2020500589.tif 000049
【図１３】
2020500589.tif 000050
【図１４】
2020500589.tif 000051
【図１５】
2020500589.tif 000052
【図１６】
2020500589.tif 000053
【図１７】
2020500589.tif 000054
【図１８】
2020500589.tif 000055
【図１９】
2020500589.tif 000056
【図２０】
2020500589.tif 000057
【図２１】
2020500589.tif 000058
【図２２】
2020500589.tif 000059
【図２３】
2020500589.tif 000060
【図２４】
2020500589.tif 000061
【図２５】
2020500589.tif 000062
【図２６】
2020500589.tif 000063
【図２７】
2020500589.tif 000064
【図２８】
2020500589.tif 000065
【図２９】
2020500589.tif 000066
【国際調査報告】
2020500589.tif 000067
2020500589.tif 000068
2020500589.tif 000069